(57)【要約】【課題】反射型液晶パネルから出射した画像光に対して不要偏光光を除去するために取り付けた透過型偏光板を空冷する。【解決手段】色分解光学系で色分解されたＰ偏光成分を有するＲ光，Ｇ光，Ｂ光をそれぞれ透過して、対応する各色光用の反射型液晶パネル３３にそれぞれ入射させ、且つ、各色光用の反射型液晶パネル３３で対応する各色光の画像信号に応じて光変調されてＳ偏光成分を有する各色の画像光を反射する各色光用の反射型偏光板３２と、各色光用の反射型偏光板３２で反射された各色の画像光から不要な偏光成分を除去する各色光用の透過型偏光板３４と、各色光用の透過型偏光板３４を透過した各色の画像光を色合成する色合成光学系４０と、投射レンズ４２とを備え、各色光用の透過型偏光板３４を色合成光学系４０の各入射面にそれぞれ対向させた時に、各色光用の透過型偏光板３４を空冷手段（２６）により空冷する。【選択図】図１
2006209061.tif 000002
【特許請求の範囲】
【請求項１】
Ｒ光，Ｇ光，Ｂ光にそれぞれ対応した各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの前記Ｒ光，前記Ｇ光，前記Ｂ光の一方向の偏光成分をそれぞれ透過させると共に、透過した前記Ｒ光，前記Ｇ光，前記Ｂ光を各色光用の反射型空間光変調素子で各色光の画像信号に応じて光変調して得られた前記一方向の偏光成分とは異なる他方向の偏光成分を各色の画像光として反射させる各色光用の反射型偏光板と、
前記各色光用の反射型偏光板で反射された前記各色光用の反射型空間光変調素子からの前記各色の画像光に対して不要な偏光成分を除去して出射させる各色光用の不要偏光光除去手段と、
前記各色光用の不要偏光光除去手段から出射した前記各色の画像光を色合成して色合成画像光として出射させる色合成光学系と、
前記色合成画像光を投射する投射レンズとを備え、
前記各色光用の不要偏光光除去手段は、不要偏光光を吸収する偏光板、又は、前記不要偏光光を反射する偏光板であることを特徴とする投射型表示装置。
【請求項２】
Ｒ光，Ｇ光，Ｂ光にそれぞれ対応した各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの前記Ｒ光，前記Ｇ光，前記Ｂ光の一方向の偏光成分をそれぞれ透過させると共に、透過した前記Ｒ光，前記Ｇ光，前記Ｂ光を各色光用の反射型空間光変調素子で各色光の画像信号に応じて光変調して得られた前記一方向の偏光成分とは異なる他方向の偏光成分を各色の画像光として反射させる各色光用の反射型偏光板と、
前記各色光用の反射型偏光板で反射された前記各色光用の反射型空間光変調素子からの前記各色の画像光に対して不要な偏光成分を除去して出射させる各色光用の不要偏光光除去手段と、
前記各色光用の不要偏光光除去手段から出射した前記各色の画像光を色合成して色合成画像光として出射させる色合成光学系と、
前記色合成画像光を投射する投射レンズとを備え、
前記各色光用の不要偏光光除去手段は、前記Ｒ光及び前記Ｇ光に対して不要偏光光を吸収する偏光板である一方、前記Ｂ光に対して前記不要偏光光を反射する偏光板であることを特徴とする投射型表示装置。
【請求項３】
請求項１記載又は請求項２記載の投射型表示装置において、
前記各色光用の不要偏光光除去手段を空冷する空冷手段を備えたことを特徴とする投射型表示装置。
【請求項４】
請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して直交し、前記各色光用の不要偏光光除去手段を取り付ける第３面と、前記第１面〜前記第３面で囲まれた空間を密閉する下面及び上面とを有した各色光用の三角柱が、前記色合成光学系に近接配置されていることを特徴とする投射型表示装置。
【請求項５】
請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して直交し、各色光用の透明ガラス板を取り付ける第３面と、前記第１面〜前記第３面で囲まれた空間を密閉する下面及び上面とを有した各色光用の三角柱が、前記色合成光学系に近接配置されており、
前記各色光用の不要偏光光除去手段を、前記各色光用の三角柱の前記第３面に取り付けた前記各色光用の透明ガラス板に対向する前記色合成光学系の各入射面に固着させたことを特徴とする投射型表示装置。
【請求項６】
請求項１〜請求項３のうちいずれか１項記載の投射型表示装置において、
前記各色光照明手段からの各色光のうちでＲ光の光軸に対して４５°の傾斜角を有し、Ｒ光用の反射型偏光板を取り付ける第１面と、前記Ｒ光用の反射型偏光板を透過した前記Ｒ光の光軸に対して直交し、Ｒ光用の反射型空間光変調素子を取り付ける第２面と、前記Ｒ光用の反射型空間光変調素子による反射光を前記Ｒ光用の反射型偏光板で反射した前記Ｒ光の光軸に対して直交し、Ｒ光用の透明ガラス板を取り付ける第３面と、前記第１面〜前記第３面で囲まれた空間を密閉する下面及び上面とを有したＲ光用の三角柱と、
前記各色光照明手段からの各色光のうちでＧ光の光軸に対して４５°の傾斜角を有し、Ｇ光用の反射型偏光板を取り付ける第１面と、前記Ｇ光用の反射型偏光板を透過した前記Ｇ光の光軸に対して直交し、Ｇ光用の反射型空間光変調素子を取り付ける第２面と、前記Ｇ光用の反射型空間光変調素子による反射光を前記Ｇ光用の反射型偏光板で反射した前記Ｇ光の光軸に対して直交し、Ｇ光用の透明ガラス板を取り付ける第３面と、前記第１面〜前記第３面で囲まれた空間を密閉する下面及び上面とを有したＧ光用の三角柱と、
前記各色光照明手段からの各色光のうちでＢ光の光軸に対して４５°の傾斜角を有し、Ｂ光用の反射型偏光板を取り付ける第１面と、前記Ｂ光用の反射型偏光板を透過した前記Ｂ光の光軸に対して直交し、Ｂ光用の反射型空間光変調素子を取り付ける第２面と、前記Ｂ光用の反射型空間光変調素子による反射光を前記Ｂ光用の反射型偏光板で反射した前記Ｂ光の光軸に対して直交し、Ｂ光用の不要偏光光除去手段を取り付ける第３面と、前記第１面〜前記第３面で囲まれた空間を密閉する下面及び上面とを有したＢ光用の三角柱とが、
前記色合成光学系に近接配置されており、
Ｒ光用及びＧ色光用の不要偏光光除去手段を、前記Ｒ光用の三角柱の前記第３面に取り付けた前記Ｒ光用の透明ガラス板及び前記Ｇ光用の三角柱の前記第３面に取り付けた前記Ｇ光用の透明ガラス板にそれぞれ対向する前記色合成光学系の各入射面に固着させたことを特徴とする投射型表示装置。
【請求項７】
請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して所定角度の傾斜角を有し、前記投射レンズ側からの不要反射光を投射させないように前記各色光用の不要偏光光除去手段を取り付ける第３面と、前記第１面〜前記第３面で囲まれた空間を密閉する下面及び上面とを有した各色光用の三角柱が、前記色合成光学系に近接配置されていることを特徴とする投射型表示装置。
【請求項８】
請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して所定角度の傾斜角を有し、前記投射レンズ側からの不要反射光を投射させないように各色光用の透明ガラス板を取り付ける第３面と、前記第１面〜前記第３面で囲まれた空間を密閉する下面及び上面とを有した各色光用の三角柱が、前記色合成光学系に近接配置されており、
前記各色光用の不要偏光光除去手段を、前記各色光用の三角柱の前記第３面に取り付けた前記各色光用の透明ガラス板に対向する前記色合成光学系の各入射面に固着させたことを特徴とする投射型表示装置。
【請求項９】
請求項１〜請求項３のうちいずれか１項記載の投射型表示装置において、
前記各色光照明手段からの各色光のうちでＲ光の光軸に対して４５°の傾斜角を有し、Ｒ光用の反射型偏光板を取り付ける第１面と、前記Ｒ光用の反射型偏光板を透過した前記Ｒ光の光軸に対して直交し、Ｒ光用の反射型空間光変調素子を取り付ける第２面と、前記Ｒ光用の反射型空間光変調素子による反射光を前記Ｒ光用の反射型偏光板で反射した前記Ｒ光の光軸に対して所定角度の傾斜角を有し、前記投射レンズ側からの不要反射光を投射させないようにＲ光用の透明ガラス板を取り付ける第３面と、前記第１面〜前記第３面で囲まれた空間を密閉する下面及び上面とを有したＲ光用の三角柱と、
前記各色光照明手段からの各色光のうちでＧ光の光軸に対して４５°の傾斜角を有し、Ｇ光用の反射型偏光板を取り付ける第１面と、前記Ｇ光用の反射型偏光板を透過した前記Ｇ光の光軸に対して直交し、Ｇ光用の反射型空間光変調素子を取り付ける第２面と、前記Ｇ光用の反射型空間光変調素子による反射光を前記Ｇ光用の反射型偏光板で反射した前記Ｇ光の光軸に対して所定角度の傾斜角を有し、前記投射レンズ側からの不要反射光を投射させないようにＧ光用の透明ガラス板を取り付ける第３面と、前記第１面〜前記第３面で囲まれた空間を密閉する下面及び上面とを有したＧ光用の三角柱と、
前記各色光照明手段からの各色光のうちでＢ光の光軸に対して４５°の傾斜角を有し、Ｂ光用の反射型偏光板を取り付ける第１面と、前記Ｂ光用の反射型偏光板を透過した前記Ｂ光の光軸に対して直交し、Ｂ光用の反射型空間光変調素子を取り付ける第２面と、前記Ｂ光用の反射型空間光変調素子による反射光を前記Ｂ光用の反射型偏光板で反射した前記Ｂ光の光軸に対して所定角度の傾斜角を有し、前記投射レンズ側からの不要反射光を投射させないようにＢ光用の不要偏光光除去手段を取り付ける第３面と、前記第１面〜前記第３面で囲まれた空間を密閉する下面及び上面とを有したＢ光用の三角柱とが、前記色合成光学系に近接配置されており、
Ｒ光用及びＧ色光用の不要偏光光除去手段を、前記Ｒ光用の三角柱の前記第３面に取り付けた前記Ｒ光用の透明ガラス板及び前記Ｇ光用の三角柱の前記第３面に取り付けた前記Ｇ光用の透明ガラス板にそれぞれ対向する前記色合成光学系の各入射面に固着させたことを特徴とする投射型表示装置。
【請求項１０】
請求項１〜請求項９のうちいずれか１項記載の投射型表示装置において、
前記各色光用の不要偏光光除去手段は、不用波長帯域制限する機能を有することを特徴とする投射型表示装置。
【請求項１１】
請求項５記載又は請求項８記載の投射型表示装置において、
前記各色光用の透明ガラス板は、不用波長帯域制限する機能を有することを特徴とする投射型表示装置。
【請求項１２】
請求項６記載又は請求項９記載の投射型表示装置において、
前記Ｒ光用及びＧ光用の透明ガラス板は、不用波長帯域制限する機能を有することを特徴とする投射型表示装置。
【発明の詳細な説明】
【技術分野】
【０００１】
本発明は、Ｒ光，Ｇ光，Ｂ光に対応した各色光用の反射型空間光変調素子（反射型液晶パネル）から出射した各色の画像光に対して不要な偏光成分を除去する各色光用の不要偏光光除去手段を備え、また、各色光用の不要偏光光除去手段を空冷する空冷手段を備えた投射型表示装置に関するものである。
【背景技術】
【０００２】
カラー画像を拡大投射するための投射型表示装置は、光学構成部材の配置関係により各種の構造形態があるものの、液晶パネルなどを用いた空間光変調素子（以下、液晶パネルと記す）に対して光を透過する透過型と、光を反射する反射型とがあり、いずれの型の場合でも光源から出射した白色光を色分解光学系によりＲ光（赤色光），Ｇ光（緑色光），Ｂ光（青色光）の３原色光に色分解して、この３原色光を対応したＲ，Ｇ，Ｂ光用の各液晶パネルにそれぞれ導き、更に、Ｒ，Ｇ，Ｂ光用の各液晶パネルでＲ，Ｇ，Ｂ光の各画像信号に応じてそれぞれ光変調されたＲ光，Ｇ光，Ｂ光の各画像光を色合成光学系により色合成して、色合成光学系で得られた色合成画像光を投射レンズからスクリーン上に拡大投射させるものである。
【０００３】
この際、投射型表示装置において、投射された色合成画像光の輝度を高めるために、偏光子及び液晶パネルに入射する光量を増加させた場合に偏光子及び液晶パネルが発熱するものの、冷却風を偏光子及び液晶パネルの各表面に概ね平行に送り込むことによって、偏光子及び液晶パネルに対して冷却を行って、より輝度の高い色合成画像光をスクリーン上に投射できる投射型表示装置が提案されている（例えば、特許文献１）。
【特許文献１】特開２０００−１９４０７３号公報。
【０００４】
図２９は従来例の投射型表示装置を示した構成図、
図３０は従来例の投射型表示装置において、冷却用のファンの配置を示した側面図、
図３１は従来例の投射型表示装置において、偏光子及び液晶パネルを冷却する状態を示した斜視図である。
【０００５】
図２９に示した従来例の投射型表示装置２００は、上記した特許文献１（特開２０００−１９４０７３号公報）に開示されているものであり、ここでは特許文献１を参照して簡略に説明する。
【０００６】
図２９に示した如く、従来例の投射型表示装置２００では、ケーシング２０１内に設けた無偏光光源２０２から出射された平行光線がＵＶ／ＩＲカットフィルタ２０３で可視光となり、この可視光が第１の色分離ダイクロイックミラー２０４で透過及び反射される。そして、第１の色分離ダイクロイックミラー２０４を透過した一つの色光はそのまま直進して反射ミラー２０５に至り、この反射ミラー２０５で反射されて９０°方向を変えて、第１の液晶パネル組立体２１０Ａに入射する。
【０００７】
一方、第１の色分離ダイクロイックミラー２０４で反射された二つの色光は、ここで光路を９０°方向を変えて第２の色分離ダイクロイックミラー２０６に至り、この第２の色分離ダイクロイックミラー２０６で透過及び反射される。そして、二つの色光のうちで第２の色分離ダイクロイックミラー２０６で反射された一方の色光は９０°方向を変えて、第２の液晶パネル組立体２１０Ｂに入射し、且つ、第２の色分離ダイクロイックミラー２０６を透過した他方の色光はそのまま直進して第３の液晶パネル組立体２１０Ｃに入射する。
【０００８】
ここで、ＲＧＢに対応した第１〜第３の液晶パネル組立体２１０Ａ〜２１０Ｃは、集光レンズ２１１，偏光子２１２，液晶パネル２１３，偏光子２１４とを順に配置してそれぞれ透過型に構成されている。
【０００９】
そして、第１の液晶パネル組立体２１０Ａを透過した一つの色光は第１の色合成ダイクロイックミラー２０７をそのまま透過して第２の色合成ダイクロイックミラー２０９に入射し、一方、第２の液晶パネル組立体２１０Ｂを透過した一方の色光は第１の色合成ダイクロイックミラー２０７で反射されて第２の色合成ダイクロイックミラー２０９に入射し、更に、第３の液晶パネル組立体２１０Ｃを透過した他方の色光は反射ミラー２０８で反射されて第２の色合成ダイクロイックミラー２０９に入射し、この第２の色合成ダイクロイックミラー２０９で３色光が色合成されて、投射レンズ２２０により色合成画像光が不図示のスクリーン上に拡大投射されている。
【００１０】
この際、図３０に示したように、第１〜第３の液晶パネル組立体２１０Ａ〜２１０Ｃ（図２９）に対応してケーシング２０１の外側の側面に冷却手段となるファン２２１Ａ〜２２１Ｃが設けられている。そして、ファン２２１Ａ（２２１Ｂ，２２１Ｃ）からの風は、図３１に示した送風ダクト２２２Ａ（２２２Ｂ，２２２Ｃ）を介して第１〜第３の液晶パネル組立体２１０Ａ（２１０Ｂ，２１０Ｃ）内の偏光子２１２及び液晶パネル２１３の各表面に矢印Ｘ方向及び矢印Ｙ方向から概ね平行にそれぞれ送り込まれることによって効果な的な冷却ができ、より輝度の高い色合成画像光をスクリーン上に投射できる投射型表示装置２００を得ることができる旨が開示されている。
【発明の開示】
【発明が解決しようとする課題】
【００１１】
ところで、上記した従来例の投射型表示装置２００によれば、ＲＧＢに対応した第１〜第３の液晶パネル組立体２１０Ａ〜２１０Ｃ内の各偏光子２１２及び各液晶パネル２１３を３個のファン２２１Ａ〜２２１Ｃ及び３個の送風ダクト２２２Ａ〜２２２Ｃを用いてそれぞれ冷却しているために、３個の冷却手段は大掛かりな構造形態になってしまっている。
【００１２】
また、従来例の投射型表示装置２００はＲ，Ｇ，Ｂ光用の各液晶パネル２１３が透過型として構成されているが、透過型の場合には投射した画像に対して高解像度化に難がある。そこで、高解像度化を達成するために反射型の液晶パネルを採用した場合に、従来例の投射型表示装置２００における冷却手段をそのまま投入しても上記したと同様に冷却手段が大掛かりな構造形態になってしまう。
【００１３】
そこで、Ｒ光，Ｇ光，Ｂ光に対応して３個の反射型空間光変調素子（反射型液晶パネル）を適用した投射型表示装置において、各色光用の反射型空間光変調素子から出射した各色の画像光を色合成して得た色合成画像光を投射レンズで投射した際に、不要な偏光成分を除去して高輝度化、高コントラス化が達成できる投射型表示装置が望まれていると共に、光源からの光による発熱に対して簡単な構造で装置内部を空冷できる投射型表示装置が望まれている。
【００１４】
また、その他の問題として、各色光用の反射型空間光変調素子を用いた投射型表示装置では、各色光用の反射型空間光変調素子から投射レンズで投射されるスクリーンに至るまでに、光学部品や投射レンズが介在しているが、これらの光学部品や投射レンズの各界面から反射した不要反射光がスクリーンに投射されて、コントラスとが低下するという現象があり、その解決が望まれている。
【課題を解決するための手段】
【００１５】
本発明は上記課題に鑑みてなされたものであり、請求項１記載の発明は、Ｒ光，Ｇ光，Ｂ光にそれぞれ対応した各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの前記Ｒ光，前記Ｇ光，前記Ｂ光の一方向の偏光成分をそれぞれ透過させると共に、透過した前記Ｒ光，前記Ｇ光，前記Ｂ光を各色光用の反射型空間光変調素子で各色光の画像信号に応じて光変調して得られた前記一方向の偏光成分とは異なる他方向の偏光成分を各色の画像光として反射させる各色光用の反射型偏光板と、
前記各色光用の反射型偏光板で反射された前記各色光用の反射型空間光変調素子からの前記各色の画像光に対して不要な偏光成分を除去して出射させる各色光用の不要偏光光除去手段と、
前記各色光用の不要偏光光除去手段から出射した前記各色の画像光を色合成して色合成画像光として出射させる色合成光学系と、
前記色合成画像光を投射する投射レンズとを備え、
前記各色光用の不要偏光光除去手段は、不要偏光光を吸収する偏光板、又は、前記不要偏光光を反射する偏光板であることを特徴とする投射型表示装置である。
【００１６】
また、請求項２記載の発明は、Ｒ光，Ｇ光，Ｂ光にそれぞれ対応した各色光用の反射型空間光変調素子と、
前記Ｒ光，Ｇ光，Ｂ光を、前記各色光用の反射型空間光変調素子にそれぞれ照明するための各色光照明手段と、
前記各色光照明手段からの前記Ｒ光，前記Ｇ光，前記Ｂ光の一方向の偏光成分をそれぞれ透過させると共に、透過した前記Ｒ光，前記Ｇ光，前記Ｂ光を各色光用の反射型空間光変調素子で各色光の画像信号に応じて光変調して得られた前記一方向の偏光成分とは異なる他方向の偏光成分を各色の画像光として反射させる各色光用の反射型偏光板と、
前記各色光用の反射型偏光板で反射された前記各色光用の反射型空間光変調素子からの前記各色の画像光に対して不要な偏光成分を除去して出射させる各色光用の不要偏光光除去手段と、
前記各色光用の不要偏光光除去手段から出射した前記各色の画像光を色合成して色合成画像光として出射させる色合成光学系と、
前記色合成画像光を投射する投射レンズとを備え、
前記各色光用の不要偏光光除去手段は、前記Ｒ光及び前記Ｇ光に対して不要偏光光を吸収する偏光板である一方、前記Ｂ光に対して前記不要偏光光を反射する偏光板であることを特徴とする投射型表示装置である。
【００１７】
また、請求項３記載の発明は、請求項１記載又は請求項２記載の投射型表示装置において、
前記各色光用の不要偏光光除去手段を空冷する空冷手段を備えたことを特徴とする投射型表示装置である。
【００１８】
また、請求項４記載の発明は、請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して直交し、前記各色光用の不要偏光光除去手段を取り付ける第３面と、前記第１面〜前記第３面で囲まれた空間を密閉する下面及び上面とを有した各色光用の三角柱が、前記色合成光学系に近接配置されていることを特徴とする投射型表示装置である。
【００１９】
また、請求項５記載の発明は、請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して直交し、各色光用の透明ガラス板を取り付ける第３面と、前記第１面〜前記第３面で囲まれた空間を密閉する下面及び上面とを有した各色光用の三角柱が、前記色合成光学系に近接配置されており、
前記各色光用の不要偏光光除去手段を、前記各色光用の三角柱の前記第３面に取り付けた前記各色光用の透明ガラス板に対向する前記色合成光学系の各入射面に固着させたことを特徴とする投射型表示装置である。
【００２０】
また、請求項６記載の発明は、請求項１〜請求項３のうちいずれか１項記載の投射型表示装置において、
前記各色光照明手段からの各色光のうちでＲ光の光軸に対して４５°の傾斜角を有し、Ｒ光用の反射型偏光板を取り付ける第１面と、前記Ｒ光用の反射型偏光板を透過した前記Ｒ光の光軸に対して直交し、Ｒ光用の反射型空間光変調素子を取り付ける第２面と、前記Ｒ光用の反射型空間光変調素子による反射光を前記Ｒ光用の反射型偏光板で反射した前記Ｒ光の光軸に対して直交し、Ｒ光用の透明ガラス板を取り付ける第３面と、前記第１面〜前記第３面で囲まれた空間を密閉する下面及び上面とを有したＲ光用の三角柱と、
前記各色光照明手段からの各色光のうちでＧ光の光軸に対して４５°の傾斜角を有し、Ｇ光用の反射型偏光板を取り付ける第１面と、前記Ｇ光用の反射型偏光板を透過した前記Ｇ光の光軸に対して直交し、Ｇ光用の反射型空間光変調素子を取り付ける第２面と、前記Ｇ光用の反射型空間光変調素子による反射光を前記Ｇ光用の反射型偏光板で反射した前記Ｇ光の光軸に対して直交し、Ｇ光用の透明ガラス板を取り付ける第３面と、前記第１面〜前記第３面で囲まれた空間を密閉する下面及び上面とを有したＧ光用の三角柱と、
前記各色光照明手段からの各色光のうちでＢ光の光軸に対して４５°の傾斜角を有し、Ｂ光用の反射型偏光板を取り付ける第１面と、前記Ｂ光用の反射型偏光板を透過した前記Ｂ光の光軸に対して直交し、Ｂ光用の反射型空間光変調素子を取り付ける第２面と、前記Ｂ光用の反射型空間光変調素子による反射光を前記Ｂ光用の反射型偏光板で反射した前記Ｂ光の光軸に対して直交し、Ｂ光用の不要偏光光除去手段を取り付ける第３面と、前記第１面〜前記第３面で囲まれた空間を密閉する下面及び上面とを有したＢ光用の三角柱とが、
前記色合成光学系に近接配置されており、
Ｒ光用及びＧ色光用の不要偏光光除去手段を、前記Ｒ光用の三角柱の前記第３面に取り付けた前記Ｒ光用の透明ガラス板及び前記Ｇ光用の三角柱の前記第３面に取り付けた前記Ｇ光用の透明ガラス板にそれぞれ対向する前記色合成光学系の各入射面に固着させたことを特徴とする投射型表示装置である。
【００２１】
また、請求項７記載の発明は、請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して所定角度の傾斜角を有し、前記投射レンズ側からの不要反射光を投射させないように前記各色光用の不要偏光光除去手段を取り付ける第３面と、前記第１面〜前記第３面で囲まれた空間を密閉する下面及び上面とを有した各色光用の三角柱が、前記色合成光学系に近接配置されていることを特徴とする投射型表示装置である。
【００２２】
また、請求項８記載の発明は、請求項１〜請求項３のうちいずれか１項記載の投射型表示装置において、
前記各色光照明手段からの各色光の光軸に対して４５°の傾斜角を有し、前記各色光用の反射型偏光板を取り付ける第１面と、前記各色光用の反射型偏光板を透過した各色光の光軸に対して直交し、前記各色光用の反射型空間光変調素子を取り付ける第２面と、前記各色光用の反射型空間光変調素子による反射光を前記各色光用の反射型偏光板で反射した各色光の光軸に対して所定角度の傾斜角を有し、前記投射レンズ側からの不要反射光を投射させないように各色光用の透明ガラス板を取り付ける第３面と、前記第１面〜前記第３面で囲まれた空間を密閉する下面及び上面とを有した各色光用の三角柱が、前記色合成光学系に近接配置されており、
前記各色光用の不要偏光光除去手段を、前記各色光用の三角柱の前記第３面に取り付けた前記各色光用の透明ガラス板に対向する前記色合成光学系の各入射面に固着させたことを特徴とする投射型表示装置である。
【００２３】
また、請求項９記載の発明は、請求項１〜請求項３のうちいずれか１項記載の投射型表示装置において、
前記各色光照明手段からの各色光のうちでＲ光の光軸に対して４５°の傾斜角を有し、Ｒ光用の反射型偏光板を取り付ける第１面と、前記Ｒ光用の反射型偏光板を透過した前記Ｒ光の光軸に対して直交し、Ｒ光用の反射型空間光変調素子を取り付ける第２面と、前記Ｒ光用の反射型空間光変調素子による反射光を前記Ｒ光用の反射型偏光板で反射した前記Ｒ光の光軸に対して所定角度の傾斜角を有し、前記投射レンズ側からの不要反射光を投射させないようにＲ光用の透明ガラス板を取り付ける第３面と、前記第１面〜前記第３面で囲まれた空間を密閉する下面及び上面とを有したＲ光用の三角柱と、
前記各色光照明手段からの各色光のうちでＧ光の光軸に対して４５°の傾斜角を有し、Ｇ光用の反射型偏光板を取り付ける第１面と、前記Ｇ光用の反射型偏光板を透過した前記Ｇ光の光軸に対して直交し、Ｇ光用の反射型空間光変調素子を取り付ける第２面と、前記Ｇ光用の反射型空間光変調素子による反射光を前記Ｇ光用の反射型偏光板で反射した前記Ｇ光の光軸に対して所定角度の傾斜角を有し、前記投射レンズ側からの不要反射光を投射させないようにＧ光用の透明ガラス板を取り付ける第３面と、前記第１面〜前記第３面で囲まれた空間を密閉する下面及び上面とを有したＧ光用の三角柱と、
前記各色光照明手段からの各色光のうちでＢ光の光軸に対して４５°の傾斜角を有し、Ｂ光用の反射型偏光板を取り付ける第１面と、前記Ｂ光用の反射型偏光板を透過した前記Ｂ光の光軸に対して直交し、Ｂ光用の反射型空間光変調素子を取り付ける第２面と、前記Ｂ光用の反射型空間光変調素子による反射光を前記Ｂ光用の反射型偏光板で反射した前記Ｂ光の光軸に対して所定角度の傾斜角を有し、前記投射レンズ側からの不要反射光を投射させないようにＢ光用の不要偏光光除去手段を取り付ける第３面と、前記第１面〜前記第３面で囲まれた空間を密閉する下面及び上面とを有したＢ光用の三角柱とが、前記色合成光学系に近接配置されており、
Ｒ光用及びＧ色光用の不要偏光光除去手段を、前記Ｒ光用の三角柱の前記第３面に取り付けた前記Ｒ光用の透明ガラス板及び前記Ｇ光用の三角柱の前記第３面に取り付けた前記Ｇ光用の透明ガラス板にそれぞれ対向する前記色合成光学系の各入射面に固着させたことを特徴とする投射型表示装置である。
【００２４】
また、請求項１０記載の発明は、請求項１〜請求項９のうちいずれか１項記載の投射型表示装置において、
前記各色光用の不要偏光光除去手段は、不用波長帯域制限する機能を有することを特徴とする投射型表示装置である。
【００２５】
また、請求項１１記載の発明は、請求項５記載又は請求項８記載の投射型表示装置において、
前記各色光用の透明ガラス板は、不用波長帯域制限する機能を有することを特徴とする投射型表示装置である。
【００２６】
また、請求項１２記載の発明は、請求項６記載又は請求項９記載の投射型表示装置において、
前記Ｒ光用及びＧ光用の透明ガラス板は、不用波長帯域制限する機能を有することを特徴とする投射型表示装置である。
【発明の効果】
【００２７】
請求項１記載の投射型表示装置によると、とくに、Ｒ光，Ｇ光，Ｂ光に対応して３個の反射型空間光変調素子（反射型液晶パネル）を適用した投射型表示装置において、各色光用の反射型空間光変調素子にそれぞれ照明するための各色光照明手段と色合成光学系との間に偏光分離手段となる板状の反射型偏光板（いわゆる「ワイヤグリッド偏光子」）をＲ光，Ｇ光，Ｂ光に対応してそれぞれ配置して、各色光用の反射型偏光板で各色光照明手段からの各色光と各色光用の反射型空間光変調素子からの画像光とを確実に偏光分離し、更に、各色光用の反射型空間光変調素子から出射した各色の画像光に対して不要偏光光を除去するために各色光用の不要偏光光除去手段を各色光用の反射型空間光変調素子と色合成光学系との間に配置した際に、各色光用の不要偏光光除去手段として、不要偏光光を吸収する偏光板、又は、不要偏光光を反射する偏光板を用いているため、不要偏光光が除去された色合成画像光を投射レンズでスクリーン上に良好に投射できるので、これにより高輝度化、高コントラス化が達成でき、投射型表示装置の品質及び信頼性の向上に寄与できる。
【００２８】
また、請求項２記載の投射型表示装置によると、とくに、Ｒ光，Ｇ光，Ｂ光に対応して３個の反射型空間光変調素子（反射型液晶パネル）を適用した投射型表示装置において、各色光用の反射型空間光変調素子にそれぞれ照明するための各色光照明手段と色合成光学系との間に偏光分離手段となる板状の反射型偏光板（いわゆる「ワイヤグリッド偏光子」）をＲ光，Ｇ光，Ｂ光に対応してそれぞれ配置して、各色光用の反射型偏光板で各色光照明手段からの各色光と各色光用の反射型空間光変調素子からの画像光とを確実に偏光分離し、更に、各色光用の反射型空間光変調素子から出射した各色の画像光に対して不要偏光光を除去するために各色光用の不要偏光光除去手段を各色光用の反射型空間光変調素子と色合成光学系との間に配置した際に、各色光用の不要偏光光除去手段として、Ｒ光及びＧ光に対して不要偏光光を吸収する偏光板を用いる一方、Ｂ光に対して不要偏光光を反射する偏光板を用いているため、Ｒ光及びＧ光よりも波長の短いＢ光に対してＢ光用の反射型偏光板に比較的耐熱性や耐光性を持たせることで、不要偏光光が除去された色合成画像光を投射レンズでスクリーン上により一層良好に投射できるので、これにより高輝度化、高コントラス化が達成でき、投射型表示装置の品質及び信頼性の向上により一層寄与できる。
【００２９】
また、請求項３記載の投射型表示装置によると、請求項１記載の効果又は請求項２記載の効果が得られる上で、光源からの光により発熱する各色光用の不要偏光光除去手段を簡単な構造の空冷手段により空冷しているので、各色光用の不要偏光光除去手段に対して発熱による劣化を防止できる。
【００３０】
また、請求項４〜６記載の投射型表示装置によると、反射型偏光板（いわゆる「ワイヤグリッド偏光子」）を三角柱の第１面に、反射型空間光変調素子（反射型液晶パネル）を三角柱の第２面に、不要偏光光除去手段又は透明ガラス板を三角柱の第３面にそれぞれ取り付けた状態で三角柱の内部を密閉しているので、三角柱内に塵埃が入ることがなくなり、
三角柱内に取り付けた各部品に対して品質及び信頼性を向上させることができる。
【００３１】
また、請求項７〜９記載の投射型表示装置によると、反射型偏光板（いわゆる「ワイヤグリッド偏光子」）を三角柱の第１面に、反射型空間光変調素子（反射型液晶パネル）を三角柱の第２面に、不要偏光光除去手段又は透明ガラス板を所定角度傾斜した三角柱の第３面にそれぞれ取り付けた状態で三角柱の内部を密閉しているので、三角柱内に塵埃が入ることがなくなり、三角柱内に取り付けた各部品に対して品質及び信頼性を向上させることができると共に、三角柱の第３面に所定角度傾斜して取り付けた不要偏光光除去手段又は透明ガラス板で投射レンズ側からの不要反射光を投射させないようにしているので、投射レンズから出射される色合成画像光に対してコントラストを低下させることがなく、且つ、ゴースト像が映り込んだりする原因も除去されるので、高画質の色合成画像光をスクリーン上に投射させることができる。
【００３２】
また、請求項１０記載の投射型表示装置によると、各色光用の不要偏光光除去手段は、不用波長帯域制限する機能を有しているため、色純度が高くコントラストの良い投射画像を得ることができる。
【００３３】
また、請求項１１記載又は請求項１２の投射型表示装置によると、各色光用の透明ガラス板、又は、Ｒ光用及びＧ光用の透明ガラス板は、不用波長帯域制限する機能を有しているため、色純度が高くコントラストの良い投射画像を得ることができる。
【発明を実施するための最良の形態】
【００３４】
以下に本発明に係る投射型表示装置の一実施例について図１乃至図２８を参照して、実施例１〜実施例３の順に詳細に説明する。
【実施例１】
【００３５】
図１は本発明に係る実施例１の投射型表示装置の構成を示した平面図、
図２（ａ），（ｂ）は本発明に係る実施例１の投射型表示装置において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図、
図３は本発明に係る実施例１の投射型表示装置において、Ｒ光用又はＧ光用もしくはＢ光用の反射型液晶パネル組立体を拡大して示した斜視図、
図４（ａ）〜（ｃ）は本発明に係る実施例１の投射型表示装置において、反射型液晶パネル組立体内の反射型偏光板を説明するための図である。
【００３６】
図１に示した如く、本発明に係る実施例１の投射型表示装置１０は、後述するようにＲ光，Ｇ光，Ｂ光にそれぞれ対応した空間光変調素子として光を反射する反射型を用いて構成されている。この投射型表示装置１０では、無偏光の白色光を出射する光源１１と、光源１１からの白色光をＲ光（赤色光），Ｇ光（緑色光），Ｂ光（青色光）に色分解する色分解光学系１７，１９と、Ｒ，Ｇ，Ｂ光用の各反射型空間光変調素子（以下、反射型液晶パネルと記す）３３と、Ｒ，Ｇ，Ｂ光用の各反射型液晶パネル３３でそれぞれ光変調された各色の画像光を色合成する３色合成クロスダイクロイックプリズム４０と、この３色合成クロスダイクロイックプリズム４０で得られた色合成画像光を投射する投射レンズ４２とが同一平面上に配置されている。
【００３７】
まず、光源１１はメタルハライドランプ，キセノンランプ，ハロゲンランプなどを用いてＲ光，Ｇ光，Ｂ光を含んだ無偏光の白色光を出射しており、この光源１１から出射した白色光が凹球面反射鏡１２で反射されることにより、略々平行光となって凹球面反射鏡１２の前面に取り付けた第１のフライアイレンズアレイ１３と、この第１のフライアイレンズアレイ１３の前方に設けた第２のフライアイレンズアレイ１４とに順に入射される。これら第１，第２のフライアイレンズアレイ１３，１４は、対をなして白色光の光束内の照度分布を均一化するためのインテグレータを構成している。尚，光源１１の前方に、紫外光及び赤外光をカットする図示しない可視外光除去フィルタを配置しても良い。
【００３８】
この後、第１，第２のフライアイレンズアレイ１３，１４により照度分布を均一化された無偏光の白色光は、偏光変換光学素子となる偏光変換プリズムアレイ１５に入射される。この偏光変換プリズムアレイ１５は、偏光分離プリズムアレイと、λ／２位相差板とを有して、全体として平板状に構成されている。即ち、この偏光変換プリズムアレイ１５に入射した光は、まず、偏光分離プリズムアレイが有する偏光ビームスプリッタ膜面により、この偏光ビームスプリッタ膜面に対するＰ偏光成分とＳ偏光成分とに分離される。この際、偏光変換プリズムアレイ１５の偏光ビームスプリッタ膜面は、平行なストライプ状に複数設けられており、それぞれが偏光変換プリズムアレイ１５の主面に対して４５°の傾斜を有している。この偏光ビームスプリッタ膜面において、Ｐ偏光成分は透過して偏光変換プリズムアレイ１５の表面側に出射され、Ｓ偏光成分は反射される。一つの偏光ビームスプリッタ膜面によって反射されたＳ偏光成分は、光路を９０°曲げられ、隣接する他の偏光ビームスプリッタ膜面によって再び反射されて光路を９０°曲げられて、偏光変換プリズムアレイ１５の表面側に出射される。そして、このようなＳ偏光成分が出射される領域には、λ／２位相差板が設けられている。このλ／２位相差板を透過したＳ偏光成分は、偏光方向を９０°回転され、偏光ビームスプリッタ膜面を透過したＰ偏光成分（または、偏光ビームスプリッタ膜面に２回反射されたＳ偏光成分）と同一の偏光方向となされる。このようにして、光源１１からの無偏光の白色光が偏光変換プリズムアレイ１５を透過した後に、所定の一方向の偏光光となされている。
【００３９】
この実施例１の形態においては、偏光変換プリズムアレイ１５を透過した光は、図１中の符号で示すように、所定の一方向の偏光光として例えばＰ偏光光に変換されている。ただし、偏光変換プリズムアレイ１５における偏光変換効率は１００％ではなく、この偏光変換プリズムアレイ１５からの出射光には、数％乃至数十％のＳ偏光成分が混入している。
【００４０】
尚、以下では、偏光変換プリズムアレイ１５によって得られる所定の一方向の偏光光をＰ偏光光として説明するが、これに限られるわけではなく、光源１１からの白色光を光変換プリズムアレイ１５でＳ偏光光に偏光変換する方法も可能である。
【００４１】
この後、偏光変換プリズムアレイ１５を透過したＰ偏光光の白色光は、フィールドレンズ１６を経て、第１のダイクロイックミラー１７に入射する。この第１のダイクロイックミラー１７では、Ｒ光，Ｇ光，Ｂ光を含んだ白色光からＲ光及びＧ光の２色の成分を反射させて９０°方向を変え、残りのＢ光を透過させてそのまま直進させている。そして、第１のダイクロイックミラー１７で反射されたＲ光及びＧ光は、第１の金属膜反射ミラー１８に入射し、この第１の金属膜反射ミラー１８で反射されて９０°方向を変えた後に第２のダイクロイックミラー１９に入射する。この第２のダイクロイックミラー１９では、Ｒ光を透過させてそのまま直進させて、Ｒ光をＲ光用反射型液晶パネル組立体３０Ｒに入射させる一方、Ｇ光を反射させて９０°方向を変えて、Ｇ光をＧ光用反射型液晶パネル組立体３０Ｇに入射させている。
【００４２】
また、第１のダイクロイックミラー１７を透過したＢ光は、第２，第３の金属膜反射ミラー２０，２１で順に反射されてＢ光用反射型液晶パネル組立体３０Ｂに入射される。
【００４３】
上記から第１，第２のダイクロイックミラー１７，１９が光源１１からの白色光をＲ光，Ｇ光，Ｂ光に色分解する色分解光学系を構成しており、且つ、光源１１から色分解光学系１７，１９までの各構成部材が、Ｒ光，Ｇ光，Ｂ光を、各色光用の反射型液晶パネル（反射型空間光変調素子）３３にそれぞれ照明するための各色光照明手段となっている。
【００４４】
尚、この実施例１では、光源１１からの白色光を色分解光学系１７，１９によりＲ光，Ｇ光，Ｂ光に色分解させた例を用いて説明しているが、これに限ることなく、例えば、Ｒ光，Ｇ光，Ｂ光をそれぞれ出射するＲ光用，Ｇ光用，Ｂ光用の各ＬＥＤ光源を用いれば、色分解光学系１７，１９を設ける必要がなくなるので、各色光照明手段となる各色光用のＬＥＤ光源からそれぞれ出射したＲ光，Ｇ光，Ｂ光の各一方向の偏光成分を、各色光に対応した各色光用の反射型液晶パネル３３にそれぞれ直接照明しても良いものである。また、上記した各色光照明手段となる各色光用のＬＥＤ光源を、実施例１を一部変形させた後述の変形例１〜９、後述の実施例２、後述の実施例３に対しても適用可能である。
【００４５】
ここで、Ｒ光用反射型液晶パネル組立体３０Ｒ及びＧ光用反射型液晶パネル組立体３０Ｇ並びにＢ光用反射型液晶パネル組立体３０Ｂは全て同一に構成されており、且つ、Ｒ光用反射型液晶パネル組立体３０Ｒ及びＧ光用反射型液晶パネル組立体３０Ｇ並びにＢ光用反射型液晶パネル組立体３０Ｂは、直方体形状に形成された色合成光学系となる３色合成クロスダイクロイックプリズム４０の各入射面４０ａ〜４０ｃに対してそれぞれ隙間を隔てて対向している。
【００４６】
この際、Ｒ光用反射型液晶パネル組立体３０Ｒ及びＧ光用反射型液晶パネル組立体３０Ｇ並びにＢ光用反射型液晶パネル組立体３０Ｂと、３色合成クロスダイクロイックプリズム４０は、図２（ａ），（ｂ）に示した如く、アルミ材などを用いたベース台２５の上面２５ａ上に接着剤により固定されている。
【００４７】
更に、図３に拡大して示した如く、Ｒ光用反射型液晶パネル組立体３０Ｒ及びＧ光用反射型液晶パネル組立体３０Ｇ並びにＢ光用反射型液晶パネル組立体３０Ｂのそれぞれは、内部を中空状に形成した三角柱３１を各色光ごとに用意して、各色光用の三角柱３１内で光源１１（図１）から色分解光学系１７，１９（図１）までの各色光照明手段からの各色光の光軸に対して４５°の傾斜角を有する第１面３１ａに偏光分離手段となる板状の反射型偏光板（いわゆる「ワイヤグリッド偏光子」）３２が取り付けられ、且つ、各色光用の反射型偏光板３２を透過した各色光の光軸に対して直交する第２面３１ｂに反射型液晶パネル３３が取り付けられていると共に、各色光用の反射型液晶パネル３３による反射光を各色光用の反射型偏光板３２で反射した各色光の光軸に対して直交する第３面３１ｃに不要偏光光除去手段となる透過型偏光板３４が取り付けられ、更に、三角柱３１の第１面３１ａ〜第３面３１ｃで囲まれた空間を下面３１ｄ及び上面３１ｅで塵埃などに対して密閉させた状態で、各色光用の透過型偏光板３４側を３色合成クロスダイクロイックプリズム４０の各入射面４０ａ〜４０ｃ（図１，図２）に対してそれぞれ隙間を隔てて対向させている。
【００４８】
尚、上記した三角柱３１は、実施例１を一部変形させた後述の変形例１〜３にも適用されるものである。
【００４９】
この際、各色光用の三角柱３１にそれぞれ取り付けて配置した反射型偏光板３２及び反射型液晶パネル３３並びに透過型偏光板３４は、ベース台２５（図２）の上面２５ａに対して垂設されている。
【００５０】
また、反射型液晶パネル３３は、液晶のプレチルト分を往復で補正するための波長板３３ａが表面に取り付けられており、且つ、反射型液晶パネル３３を冷却するためのヒートシンク３３ｂがこの反射型液晶パネル３３の裏面に取り付けられている。
【００５１】
そして、例えば、Ｒ光用反射型液晶パネル組立体３０ＲにＰ偏光成分のＲ光が入射した時に、このＰ偏光成分のＲ光を三角柱３１に取り付けた反射型偏光板３２を透過させて、Ｒ光用の反射型液晶パネル３３に入射させる。
【００５２】
また、上記した「ワイヤグリッド偏光子」とも呼称される反射型偏光板３２は、図４（ａ）に示した如く、光学ガラス板３２ａ上に、アルミニウムなどの金属線３２ｂを例えば１４０ｎｍのピッチで規則正しくストライプ状に多数本並べて形成したものであり、金属線３２ｂに垂直な偏光成分（例えば、Ｐ偏光光）をそのまま透過させ、且つ、金属線３２ｂに平行な偏光成分（例えば、Ｓ偏光光）は反射する機能を有している。
【００５３】
そして、図４（ｂ）に示した如く、反射型偏光板３２へのＰ偏光光による入射光の入射角αをパラメータとした時に、Ｐ偏光成分の透過率の波長依存性を図４（ｃ）に示している。この図４（ｃ）において、ａは反射型偏光板３２へのＰ偏光光による入射光の入射角αが０°、ｂは入射角αが−１５°、ｃは入射角αが＋１５°の場合を示している。尚、入射角αは、反射型偏光板３２への入射光が光軸に対してなす角度であり、反射型偏光板３２の入射面は光軸に対して４５°傾斜されている。この反射型偏光板３２においては、入射角αが±１５°に達しても、Ｐ偏光光の透過率の波長依存性は、可視波長領域で極めて小さく、安定している。
【００５４】
このため、反射型偏光板３２を用いると、明るく、色再現性の良好な表示画像が得られることがわかる。また、反射型偏光板３２は、一枚の板状の偏光分離板であるので、軽量である。また、反射型偏光板３２は、光源１１（図１）から発せられる光を吸収しにくいため、複屈折による表示画像の品質低下を抑えることができる。
【００５５】
再び図１及び図２（ａ），（ｂ）に戻り、Ｒ光用の反射型偏光板３２を透過したＰ偏光光によるＲ光がＲ光用の反射型液晶パネル３３に入射すると、反射型液晶パネル３３の表面に取り付けた波長板３３ａを経てＲ光用の反射型液晶パネル３３内でＲ光の画像信号に応じて光変調された後に反射された光束は再び波長板３３ａを透過してＲ光用の反射型偏光板３２に戻る。ここで、Ｒ光用の反射型偏光板３２においては、Ｒ光用の反射型液晶パネル３３で光変調されて反射されたＳ偏光光の光束のみを反射する。
【００５６】
この際、反射型液晶パネル３３は、シリコン基板上にスイッチング素子をマトリックス状に設けると共にこの上方に絶縁層を介してアルミニウム等の金属からなる画素電極をマトリックス状に複数設け、この複数の画素電極と透明基板に設けた共通電極との間に液晶を封入して、複数の画素電極と共通電極との間に電圧を印加して、透明基板側から入射させた入射光に各色光の画像信号に応じて光変調し、この入射光を複数の画素電極で反射させた画像光を出射するように反射型として構成されている。このような反射型液晶パネル３３は、画素集積度が高いので高解像度画像に適しており、また、複数の画素電極の下方に回路構造を積層できるので、開口率を９０％程度に高めることができ、明るく滑らかで細密な画像を表示できるという長所がある。
【００５７】
この後、Ｒ光用の反射型偏光板３２で反射されたＳ偏光光によるＲ光は、Ｒ光用の三角柱３１内で３色合成クロスダイクロイックプリズム４０と対向して配置されたＲ光用の不要偏光光除去手段となる透過型偏光板３４に入射され、この透過型偏光板３４で不要な偏光成分であるＰ偏光光（不要偏光光）を除去しながらＲ光を３色合成クロスダイクロイックプリズム４０の入射面４０ａから入射させている。
【００５８】
この際、上記した不要偏光光除去手段となる透過型偏光板３４は、反射型偏光板３２で反射された反射光に不要偏光光であるＰ偏光光が混入されている場合に、このままでは表示画像のコントラスト比が低下する要因となるので、不要なＰ偏光光を除去するために設けられている。そして、透過型偏光板３４としては、基材フィルム（ポリビニルアルコール；ＰＶＡ）にヨウ素や有機染料などの二色性の材料を染色、吸着させ、高度に延伸、配向させることで、吸収二色性を発現させているものである。このＰＶＡ偏光層をＴＡＣ（トリアセチルセルロース）層で挟んだ偏光フィルムを、ガラス基板上に粘着材、または、接着剤で貼り付けた構成である。このような吸収二色性を基本原理とした透過型偏光板３４は、入射する光束の直交する偏光成分のうち、二色性染料の配列と同方向の偏光成分を吸収し、他方の偏光成分を透過する。
【００５９】
この透過型偏光板３４は光吸収型であるので、耐熱性、放熱性を考慮し、水晶やサファイアなどの熱伝導性に優れた基板を用いて構成することが望ましい。光利用率の向上のためと、界面での不要反射光による表示画像の品位低下を防止するため、透過型偏光板３４の空気界面には、減反射コートを施す必要がある。これらの偏光特性、反射防止膜特性は、Ｒ，Ｇ，Ｂ各色について最適化されることが望ましい。
【００６０】
また、透過型偏光板３４は、片面フィルムで構成しても良いが、フィルムの表面を波長オーダで平坦化するのは困難であるので、このフィルム表面の非平面性が波面収差となり、解像度を劣化させる要因となる。そこで、より高い解像度を実現するためには、この偏光フィルムを平坦な光学研磨の施された基板（白板ガラス、光学ガラス、水晶、石英、サファイアなど）で挟み、接着剤、または、粘着材でフィルムの凹凸を埋めることで、解像度劣化を防ぐことができる。
【００６１】
以下、上記したＲ光と同様に、Ｇ光及びＢ光をＧ光用反射型液晶パネル組立体３０Ｇ及びＢ光用反射型液晶パネル組立体３０Ｂに入射させた時に、Ｇ光用及びＢ光用の反射型液晶パネル３３，３３で光変調されて反射されたＳ偏光光のＧ光及びＢ光を３色合成クロスダイクロイックプリズム４０の入射面４０ｂ及び入射面４０ｃから入射させている。
【００６２】
この後、３色合成クロスダイクロイックプリズム４０の各入射面４０ａ〜４０ｃから入射されたＲ光，Ｇ光，Ｂ光の各画像光は、３色合成クロスダイクロイックプリズム４０内に形成した第１，第２ダイクロイック膜４０ｅ，４０ｆによって色合成され、この色合成クロスダイクロイックプリズム４０で得られた色合成画像光が出射面４０ｄから出射されて１／４波長板４１を介して投射レンズ４２に入射され、透過型偏光板３４により不要偏光光が除去された色合成画像光を投射レンズ４２で図示しないスクリーン上に投射しているので、これにより高輝度化、高コントラス化が達成でき、投射型表示装置１０の品質及び信頼性の向上に寄与できる。
【００６３】
この際、上記した３色合成クロスダイクロイックプリズム４０は、光学ガラスを用いて直方体（立方体も含む）に形成されており、上面から見た時に第１，第２ダイクロイック膜４０ｅ，４０ｆがＸ字状にクロスしている。
【００６４】
そして、３色合成クロスダイクロイックプリズム４０内の第１ダイクロイック膜４０ｅは、入射面４０ａから入射したＲ光を反射して９０°方向を変えて出射面４０ｄから出射させ、且つ、入射面４０ｂから入射したＧ光をそのまま透過して出射面４０ｄから出射させ、入射面４０ｃから入射したＢ光も透過させる機能を備えている。また、３色合成クロスダイクロイックプリズム４０内の第２ダイクロイック膜４０ｆは、入射面４０ｃから入射したＢ光を反射して９０°方向を変えて出射面４０ｄから出射させ、且つ、入射面４０ｂから入射したＧ光をそのまま透過して出射面４０ｄから出射させ、入射面４０ａから入射したＲ光も透過させる機能を備えている。従って、３色合成クロスダイクロイックプリズム４０内に形成した第１，第２ダイクロイック膜４０ｅ，４０ｆで３色合成が可能になっている。
【００６５】
また、３色合成クロスダイクロイックプリズム４０と投射レンズ４２との間に配置した１／４波長板４１は、投射レンズ４２のレンズ表面からの微量な反射光が３色合成クロスダイクロイックプリズム４０，各色光用の透過型偏光板３４，各色光用の反射型偏光板３２を介して各色光用の反射型液晶パネル３３側に戻り、再度反射されてスクリーンに達し、ゴースト状に不要光が現われるのを防ぐためのものであり、この１／４波長板４１は必要に応じて設置すれば良いものである。
【００６６】
ここで、実施例１では、Ｒ光用反射型液晶パネル組立体３０Ｒ，Ｇ光用反射型液晶パネル組立体３０Ｇ，Ｂ光用反射型液晶パネル組立体３０Ｂ内に、Ｒ光，Ｇ光，Ｂ光をそれぞれ入射させた時に、内部を密閉した各色光用の三角柱３１にそれぞれ取り付けて配置した反射型偏光板３２及び反射型液晶パネル３３並びに透過型偏光板３４と、３色合成クロスダイクロイックプリズム４０の各入射面４０ａ〜４０ｃとが光源１１からの光によって温度上昇するので、これらの光学部材の温度上昇を避けるために、図２（ａ），（ｂ）に示したように、ベース台２５の下面２５ｂ側に、空冷手段となるファン２６が回転自在に設置されている。
【００６７】
これに伴って、ベース台２５には、各色光用の反射型液晶パネル組立体３０Ｒ，３０Ｇ，３０Ｂと３色合成クロスダイクロイックプリズム４０の各入射面４０ａ〜４０ｃとの間に形成された各隙間に対応して第１送風孔２５ｃがそれぞれ貫通して穿設されていると共に、各色光用の反射型液晶パネル３３の裏面に取り付けたヒートシンク３３ｂと対向して第２送風孔２５ｄが貫通して穿設されている。
【００６８】
そして、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されている。ここで、第１送風孔２５ｃを通り抜けた風Ｗは、各色光用の三角柱３１に取り付けた透過型偏光板３４と３色合成クロスダイクロイックプリズム４０の各入射面４０ａ〜４０ｃとの間に形成された各隙間内に送風されて、各色光用の透過型偏光板３４の表面と３色合成クロスダイクロイックプリズム４０の各入射面４０ａ〜４０ｃとをそれぞれ冷却すると共に、第２送風孔２５ｄを通り抜けた風Ｗで各色光用の反射型液晶パネル３３の裏面に取り付けたヒートシンク３３ｂを冷却しているので、各色光用の反射型液晶パネル３３及び各色光用の透過型偏光板３４並びに３色合成クロスダイクロイックプリズム４０の温度上昇を抑えて、発熱による劣化を防止でき、これにより高輝度化、高コントラス化が達成でき、実施例１の投射型表示装置１０への信頼性向上に寄与できる。
【００６９】
次に、実施例１の投射型表示装置１０を一部変形させた変形例１の投射型表示装置１０Ａについて図５及び図６（ａ），（ｂ）を用いて、実施例１（図１，図２）に対して異なる点を中心にして簡略に説明する。
【００７０】
図５は本発明に係る実施例１の投射型表示装置を一部変形させた変形例１の投射型表示装置の構成を示した平面図、
図６（ａ），（ｂ）は実施例１の投射型表示装置を一部変形させた変形例１において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【００７１】
図５及び図６（ａ），（ｂ）に示した如く、実施例１を一部変形させた変形例１の投射型表示装置１０Ａでは、Ｒ光用反射型液晶パネル組立体３０Ｒ’及びＧ光用反射型液晶パネル組立体３０Ｇ’並びにＢ光用反射型液晶パネル組立体３０Ｂ’内に実施例１で用いた各色光用の透過型偏光板３４に代えて、各色光用の不要偏光光除去手段として、不要偏光光を反射する各色光用の反射型偏光板３５を用いている点が実施例１に対して異なっている。
【００７２】
即ち、実施例１の変形例１では、Ｒ光用反射型液晶パネル組立体３０Ｒ’及びＧ光用反射型液晶パネル組立体３０Ｇ’並びにＢ光用反射型液晶パネル組立体３０Ｂ’のそれぞれは、内部を中空状に形成した三角柱３１を各色光ごとに用意して、各色光用の三角柱３１内で光源１１から色分解光学系１７，１９までの各色光照明手段からの各色光の光軸に対して４５°の傾斜角を有する第１面３１ａ（図３）に偏光分離手段となる板状の反射型偏光板３２（いわゆる「ワイヤグリッド偏光子」）が取り付けられ、且つ、各色光用の反射型偏光板３２を透過した各色光の光軸に対して直交する第２面３１ｂ（図３）に反射型液晶パネル３３が取り付けられている点は実施例１に対して同じであるものの、各色光用の反射型液晶パネル３３による反射光を各色光用の反射型偏光板３２で反射した各色光の光軸に対して直交する第３面３１ｃ（図３）に不要偏光光除去手段となる反射型偏光板３５が実施例１の透過型偏光板３４（図１，図２）に代えて取り付けられ、各色光用の反射型偏光板３５側を３色合成クロスダイクロイックプリズム４０の各入射面４０ａ〜４０ｃに対してそれぞれ隙間を隔てて対向させている点が実施例１に対して異なっている。
【００７３】
この際、不要偏光光除去手段となる反射型偏光板３５として、例えば、ワイヤグリッド偏光子を用いており、このワイヤグリッド偏光子は、実施例１で用いた光吸収型の透過型偏光板３４に比較して耐熱性や耐光性に優れているので、ハイパワーの光源１１からの光に対して十分な信頼性を得ることができる。
【００７４】
従って、実施例１の変形例１では、各色光用の反射型偏光板３２で反射された各色光用の反射型液晶パネル３３からの各色の画像光に対して各色光用の反射型偏光板３５によりＳ偏光光以外の不要偏光光（Ｐ偏光光）を除去してＳ偏光光が出射され、この後、各色光用の反射型偏光板３５を透過した各色の画像光を３色合成クロスダイクロイックプリズム４０で色合成している。
【００７５】
そして、この実施例１の変形例１でも、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されている。ここで、第１送風孔２５ｃを通り抜けた風Ｗは、各色光用の三角柱３１内に取り付けた反射型偏光板３５と３色合成クロスダイクロイックプリズム４０の各入射面４０ａ〜４０ｃとの間に形成された各隙間内に送風されて、各色光用の反射型偏光板３５の表面と３色合成クロスダイクロイックプリズム４０の各入射面４０ａ〜４０ｃとをそれぞれ冷却すると共に、第２送風孔２５ｄを通り抜けた風Ｗで各色光用の反射型液晶パネル３３の裏面に取り付けたヒートシンク３３ｂを冷却しているので、各色光用の反射型液晶パネル３３及び各色光用の反射過型偏光板３５並びに３色合成クロスダイクロイックプリズム４０の温度上昇を抑えて、発熱による劣化をより確実に防止でき、これにより高輝度化、高コントラス化が達成でき、変形例１の投射型表示装置１０Ａへの信頼性向上に寄与できる。
【００７６】
次に、実施例１の投射型表示装置１０を一部変形させた変形例２の投射型表示装置１０Ｂについて図７及び図８（ａ），（ｂ）を用いて、実施例１（図１，図２）に対して異なる点を中心にして簡略に説明する。
【００７７】
図７は本発明に係る実施例１の投射型表示装置を一部変形させた変形例２の投射型表示装置の構成を示した平面図、
図８（ａ），（ｂ）は実施例１の投射型表示装置を一部変形させた変形例２において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【００７８】
図７及び図８（ａ），（ｂ）に示した如く、実施例１を一部変形させた変形例２の投射型表示装置１０Ｂでは、Ｒ光用反射型液晶パネル組立体３０Ｒ’’及びＧ光用反射型液晶パネル組立体３０Ｇ’’並びにＢ光用反射型液晶パネル組立体３０Ｂ’’と、３色合成クロスダイクロイックプリズム４０の各入射面４０ａ〜４０ｃに各色光用の不要偏光光除去手段としてそれぞれ固着させた光吸収型の透過型偏光板３７が、実施例１に対して異なっている。
【００７９】
即ち、実施例１の変形例２では、Ｒ光用反射型液晶パネル組立体３０Ｒ’’及びＧ光用反射型液晶パネル組立体３０Ｇ’’並びにＢ光用反射型液晶パネル組立体３０Ｂ’’のそれぞれは、内部を中空状に形成した三角柱３１を各色光ごとに用意して、各色光用の三角柱３１内で光源１１から色分解光学系１７，１９までの各色光照明手段からの各色光の光軸に対して４５°の傾斜角を有する第１面３１ａ（図３）に偏光分離手段となる板状の反射型偏光板（いわゆる「ワイヤグリッド偏光子」）３２が取り付けられ、且つ、各色光用の反射型偏光板３２を透過した各色光の光軸に対して直交する第２面３１ｂ（図３）に反射型液晶パネル３３が取り付けられている点は実施例１に対して同じであるものの、各色光用の反射型液晶パネル３３による反射光を各色光用の反射型偏光板３２で反射した各色光の光軸に対して直交する第３面３１ｃ（図３）に透明ガラス板３６が実施例１の透過型偏光板３４（図１，図２）に代えて取り付けられ、各色光用の透明ガラス板３６側を３色合成クロスダイクロイックプリズム４０の各入射面４０ａ〜４０ｃに対してそれぞれ隙間を隔てて対向させている点が実施例１に対して異なっている。この際、各色光用の三角柱３１の第３面３１ｃ（図３）に取り付けた各色光用の透明ガラス板３６は、各色光用の反射型液晶パネル３３による反射光を各色光用の反射型偏光板３２で反射した各色光をそのまま透過させて３色合成クロスダイクロイックプリズム４０側に出射させているが、各色光用の透明ガラス板３６を取り付けることで各色光用の三角柱３１内を塵埃が入らないように密閉できる。
【００８０】
この実施例１の変形例２でも、各色光用の三角柱３１内にそれぞれ取り付けて配置した反射型偏光板３２及び反射型液晶パネル３３並びに透明ガラス板３６は、ベース台２５の上面２５ａに対して垂設されている。
【００８１】
上記に伴って、３色合成クロスダイクロイックプリズム４０の各入射面４０ａ〜４０ｃには、各色光用の透明ガラス板３６を透過した各色光に対して不用偏光光を除去する各色光用の不要偏光光除去手段として光吸収型の透過型偏光板３７がそれぞれ固着されている。
【００８２】
ここで、透過型偏光板３７は、透過型偏光フィルムを３色合成クロスダイクロイックプリズム４０の各入射面４０ａ〜４０ｃに直接固着するのが最も安価である。または、透過型偏光フィルムを透明基板に固着した上で各入射面４０ａ〜４０ｃに固着しても良い。この場合、透過型偏光板３７の透明基板の材料としては、安価なガラスが用いられるが、熱伝導性に優れた水晶やサファイアを用いると、偏光フィルムの熱を透明基板面内にすばやく分散し、これを３色合成クロスダイクロイックプリズム４０に効率的に逃がすことができるので、信頼性を向上させることができる。
【００８３】
従って、実施例１の変形例２では、各色光用の反射型偏光板３２で反射された各色光用の反射型液晶パネル３３からの各色の画像光が各色光用の透明ガラス板３６からそのまま出射され、この後、各色光用の透明ガラス板３６を透過した各色の画像光に対して３色合成クロスダイクロイックプリズム４０の各入射面４０ａ〜４０ｃに固着させた各色光用の透過型偏光板３７によりＳ偏光光以外の不要偏光光（Ｐ偏光光）を除去して、各色光用の透過型偏光板３７を透過した各色の画像光を３色合成クロスダイクロイックプリズム４０で色合成している。
【００８４】
ここで、実施例１の変形例２でも、Ｒ光用反射型液晶パネル組立体３０Ｒ’’及びＧ光用反射型液晶パネル組立体３０Ｇ’’並びにＢ光用反射型液晶パネル組立体３０Ｂ’’内にＲ光，Ｇ光，Ｂ光をそれぞれ入射させた時に、内部を密閉した各色光用の三角柱３１に取り付けた反射型偏光板３２及び反射型液晶パネル３３並びに透明ガラス板３６が光源１１からの光によって温度上昇すると共に、３色合成クロスダイクロイックプリズム４０の各入射面４０ａ〜４０ｃにそれぞれ固着させた各色光用の透過型偏光板３７も光源１１からの光によって温度上昇するので、これらの光学部材の温度上昇を避けるために、図８（ａ），（ｂ）に示したように、ベース台２５の下面２５ｂ側に、冷却用のファン２６が回転自在に設置されている。
【００８５】
これに伴って、ベース台２５には、各色光用の反射型液晶パネル組立体３０Ｒ’’，３０Ｇ’’，３０Ｂ’’と３色合成クロスダイクロイックプリズム４０の各入射面４０ａ〜４０ｃに固着させた各色光用の透過型偏光板３７との間に形成された各隙間に対応して第１送風孔２５ｃがそれぞれ貫通して穿設されていると共に、各色光用の反射型液晶パネル３３の裏面に取り付けたヒートシンク３３ｂと対向して第２送風孔２５ｄが貫通して穿設されている。
【００８６】
そして、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されている。ここで、第１送風孔２５ｃを通り抜けた風Ｗは、各色光用の三角柱３１に取り付けた透明ガラス板３６と３色合成クロスダイクロイックプリズム４０の各入射面４０ａ〜４０ｃに固着させた各色光用の透過型偏光板３７との間に形成された各隙間内に送風されて、各色光用の透明ガラス板３６の表面と３色合成クロスダイクロイックプリズム４０の各入射面４０ａ〜４０ｃに固着させた各色光用の透過型偏光板３７とをそれぞれ冷却すると共に、第２送風孔２５ｄを通り抜けた風Ｗで各色光用の反射型液晶パネル３３の裏面に取り付けたヒートシンク３３ｂを冷却しているので、各色光用の反射型液晶パネル３３及び各色光用の透明ガラス板３６と、３色合成クロスダイクロイックプリズム４０の各入射面４０ａ〜４０ｃに固着させた各色光用の透過型偏光板３７の温度上昇を抑えて、発熱による劣化を防止でき、これにより高輝度化、高コントラス化が達成でき、実施例１を一部変形させた変形例２の投射型表示装置１０Ｂへの信頼性向上に寄与できる。
【００８７】
次に、実施例１の投射型表示装置１０を一部変形させた変形例３の投射型表示装置１０Ｃについて図９及び図１０（ａ），（ｂ）を用いて、実施例１（図１，図２）に対して異なる点を中心にして簡略に説明する。
【００８８】
図９は本発明に係る実施例１の投射型表示装置を一部変形させた変形例３の投射型表示装置の構成を示した平面図、
図１０（ａ），（ｂ）は実施例１の投射型表示装置を一部変形させた変形例３において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【００８９】
図９及び図１０（ａ），（ｂ）に示した如く、実施例１を一部変形させた変形例３の投射型表示装置１０Ｃでは、Ｒ光用反射型液晶パネル組立体３０Ｒ’’及びＧ光用反射型液晶パネル組立体３０Ｇ’’に対して実施例１の変形例２の技術的思想を適用し、Ｒ光及びＧ光に対して不要偏光光除去手段として光吸収型の透過型偏光板３７を３色合成クロスダイクロイックプリズム４０の各入射面４０ａ，４０ｂに固着させる一方、Ｂ光用反射型液晶パネル組立体３０Ｂ’に対して実施例１の変形例１の技術的思想を適用し、Ｂ光用反射型液晶パネル組立体３０Ｂ’内にＢ光に対して不要偏光光除去手段として比較的耐熱性及び耐光性がある反射型偏光板３５を用いている点が特徴である。
【００９０】
即ち、実施例１の変形例３では、Ｒ光用反射型液晶パネル組立体３０Ｒ’’及びＧ光用反射型液晶パネル組立体３０Ｇ’’並びにＢ光用反射型液晶パネル組立体３０Ｂ’のそれぞれは、内部を中空状に形成した三角柱３１を各色光ごとに用意して、各色光用の三角柱３１内で光源１１から色分解光学系１７，１９までの各色光照明手段からの各色光の光軸に対して４５°の傾斜角を有する第１面３１ａ（図３）に偏光分離手段となる板状の反射型偏光板（いわゆる「ワイヤグリッド偏光子」）３２が取り付けられ、且つ、各色光用の反射型偏光板３２を透過した各色光の光軸に対して直交する第２面３１ｂ（図３）に各色光用の反射型液晶パネル３３が取り付けられている点は実施例１に対して同じであるものの、Ｒ光用及びＧ光用の反射型液晶パネル３３による各反射光をＲ光用及びＧ光用の反射型偏光板３２でそれぞれ反射したＲ光及びＧ光の光軸に対して直交する第３面３１ｃ（図３）にＲ光用及びＧ光用の透明ガラス板３６が実施例１の透過型偏光板３４（図１，図２）に代えてそれぞれ取り付けられ、且つ、Ｂ光用の反射型液晶パネル３３による反射光をＢ光用の反射型偏光板３２で反射したＢ光の光軸に対して直交する第３面３１ｃ（図３）に不要偏光光除去手段となるＢ光用の反射型偏光板３５が実施例１の透過型偏光板３４（図１，図２）に代えて取り付けられ、更に、Ｒ光用及びＧ光用の透明ガラス板３６側を３色合成クロスダイクロイックプリズム４０の各入射面４０ａ，４０ｂに固着させたＲ光用及びＧ光用の不要偏光光除去手段となる透過型偏光板３７に対して各隙間を隔てて対向させ、且つ、Ｂ光用の反射型偏光板３５側を３色合成クロスダイクロイックプリズム４０の入射面４０ｃに対して隙間を隔てて対向させている点が実施例１と異なっている。
【００９１】
この実施例１の変形例３では、Ｇ光に対してのみ反射型偏光板３５としてワイヤグリッド偏光子を用いているが、このワイヤグリッド偏光子は一般的に１枚あたりのコストが光吸収型の透過型偏光板３７に比べて高価である。また、反射型偏光板３５は、不要偏光光を反射するので、反射された不要偏光光が反射型液晶パネル３３に再度戻り、投射レンズ４２側に戻って不要な成分を不図示のスクリーンに投射したり、投射レンズ４２の表面などから反射した不要偏光光が反射型偏光板３５で再び投射レンズ４２に戻って、スクリーンにゴースト像として投射されという問題点もある。
【００９２】
従って、コストと信頼性のバランスを考慮して、Ｒ光及びＧ光に対して光吸収型の透過型偏光板３７を用い、Ｂ光に対して比較的耐熱性及び耐光性がある反射型偏光板３５を用いている。この際、Ｂ光に対して反射型偏光板３５を用いる理由は、光吸収型の透過型偏光板３７が短波長側の光吸収率が高く発熱も大きいことと、短波長のＢ光に対して耐光性が弱いので、Ｂ光の偏光特性が低下し易く、Ｒ光やＧ光よりもＢ光に対して改善するのが効果的であるからである。
【００９３】
そして、この実施例１の変形例３でも、Ｒ光用及びＧ光用の透過型偏光板３７と、Ｂ光用の反射型偏光版板３５とをファン２６を用いて空冷することで、反射型液晶パネル３３，反射型偏光板３５，透明ガラス板３６，透過型偏光板３７の温度上昇を抑えて、発熱による劣化を防止でき、これにより高輝度化、高コントラス化が達成でき、実施例１を一部変形させた変形例３の投射型表示装置１０Ｃへの信頼性向上に寄与できる。
【００９４】
次に、実施例１の投射型表示装置１０を一部変形させた変形例４の投射型表示装置１０Ｄについて図１１及び図１２（ａ），（ｂ）を用いて、実施例１（図１，図２）に対して異なる点を中心にして簡略に説明する。
【００９５】
図１１は本発明に係る実施例１の投射型表示装置を一部変形させた変形例４の投射型表示装置の構成を示した平面図、
図１２（ａ），（ｂ）は実施例１の投射型表示装置を一部変形させた変形例４において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【００９６】
図１１及び図１２（ａ），（ｂ）に示した如く、実施例１を一部変形させた変形例４の投射型表示装置１０Ｄでは、前記した実施例１の変形例３と同様に、Ｒ光用反射型液晶パネル組立体３０Ｒ’’及びＧ光用反射型液晶パネル組立体３０Ｇ’’に対して実施例１の変形例２の技術的思想を適用し、Ｒ光及びＧ光に対して不要偏光光除去手段として光吸収型の透過型偏光板３７を３色合成クロスダイクロイックプリズム４０の入射面４０ａ，４０ｂに固着させる一方、Ｂ光用反射型液晶パネル組立体３０Ｂ’に対して実施例１の変形例１の技術的思想を適用し、Ｂ光用反射型液晶パネル組立体３０Ｂ’内にＢ光に対して不要偏光光除去手段として比較的耐熱性及び耐光性がある反射型偏光板３５を用いることで、実施例１の変形例３と同じ構成であるものの、Ｂ光用反射型液晶パネル組立体３０Ｂ’内のＢ光用の反射型偏光板３５を３色合成クロスダイクロイックプリズム４０の入射面４０ｃに直接固着させている点が実施例１の変形例３に対して異なるだけである。
【００９７】
この際、Ｂ光用反射型液晶パネル組立体３０Ｂ’は、３色合成クロスダイクロイックプリズム４０に対してＲ光用反射型液晶パネル組立体３０Ｒ’’及びＧ光用反射型液晶パネル組立体３０Ｇ’’と同じ光路長が得られるように三角柱３１に代えて台形柱４３に形成し、Ｂ光用の台形柱４３内に反射型偏光板３２及び反射型液晶パネル３３並び反射型偏光板３５が図示のように内部を密閉した状態で収納されている。
【００９８】
従って、実施例１を一部変形させた変形例４の投射型表示装置１０Ｄは、実施例１の変形例３の投射型表示装置１０Ｃと略同様の効果を得ることができる。
【００９９】
次に、実施例１の投射型表示装置１０を一部変形させた変形例５の投射型表示装置１０Ｅについて図１３及び図１４（ａ），（ｂ）を用いて、実施例１（図１，図２）に対して異なる点を中心にして簡略に説明する。
【０１００】
図１３は本発明に係る実施例１の投射型表示装置を一部変形させた変形例５の投射型表示装置の構成を示した平面図、
図１４（ａ），（ｂ）は実施例１の投射型表示装置を一部変形させた変形例５において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【０１０１】
図１３及び図１４（ａ），（ｂ）に示した如く、実施例１を一部変形させた変形例５の投射型表示装置１０Ｅでは、Ｒ光用反射型液晶パネル組立体３０Ｒ及びＧ光用反射型液晶パネル組立体３０Ｇに対して実施例１の技術的思想を適用し、Ｒ光, Ｇ光用の反射型液晶パネル組立体３０Ｒ, ３０Ｇ内にＲ光及びＧ光に対して不要偏光光除去手段として光吸収型の透過型偏光板３４を用いる一方、Ｂ光用反射型液晶パネル組立体３０Ｂ’に対して実施例１の変形例１の技術的思想を適用し、Ｂ光用反射型液晶パネル組立体３０Ｂ’内にＢ光に対して不要偏光光除去手段として比較的耐熱性及び耐光性がある反射型偏光板３５を用いているものの、Ｒ光用反射型液晶パネル組立体３０Ｒ及びＧ光用反射型液晶パネル組立体３０Ｇ並びにＢ光用反射型液晶パネル組立体３０Ｂ’を３色合成クロスダイクロイックプリズム４０の各入射面４０ａ〜４０ｃに隙間なく密着させている点が特徴である。
【０１０２】
この際、３色合成クロスダイクロイックプリズム４０の各入射面４０ａ〜４０ｃを一辺として各色光用の三角柱３１の内部を密閉して、Ｒ光及びＧ光用の透過型偏光板３４と、Ｂ光用の反射偏光板３５とを３色合成クロスダイクロイックプリズム４０の各入射面４０ａ〜４０ｃに隙間なく密着させることでこの間の空冷をなくしても、光源１１のパワーが比較的小さい場合には、発熱も小さいので、光源１１からの熱を３色合成クロスダイクロイックプリズム４０内に逃がすことができる。従って、ベース台２５の下面２５ｂ側にファンを設けなくても良いものであるが、必要に応じてファン２６を設けることで各色光用の反射型液晶パネル３３の裏面を冷却することができる。
【０１０３】
そして、Ｒ光用反射型液晶パネル組立体３０Ｒ及びＧ光用反射型液晶パネル組立体３０Ｇ並びにＢ光用反射型液晶パネル組立体３０Ｂ’を３色合成クロスダイクロイックプリズム４０の各入射面４０ａ〜４０ｃに隙間なく密着させることで、色分解及び色合成光学系を小型化できると共に、各色光用の三角柱３１内に透明ガラス板３６を取り付けていないので、透明ガラス板３６からの界面反射による不要反射光が発生しない。
【０１０４】
尚、上記した実施例１の変形例３〜変形例５では、各色光の不要偏光光除去手段として、Ｒ，Ｇ光用に吸収型偏光板を用い、且つ、Ｂ光用に反射型偏光板を用いた場合について説明したが、これに限ることなく、Ｒ光用に吸収型偏光板を用い、且つ、Ｇ，Ｂ光用に反射型偏光板を用いても良く、この場合には明るさの向上を狙って光源（ランプ）のパワーを上げた時にＧ光帯域の信頼性も向上させることができる。
【０１０５】
次に、実施例１の投射型表示装置１０を一部変形させた変形例６の投射型表示装置１０Ｆについて図１５及び図１６（ａ），（ｂ）並びに図１７を用いて、実施例１（図１，図２）に対して異なる点を中心にして簡略に説明する。
【０１０６】
図１５は本発明に係る実施例１の投射型表示装置を一部変形させた変形例６の投射型表示装置の構成を示した平面図、
図１６（ａ），（ｂ）は実施例１の投射型表示装置を一部変形させた変形例６において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図、
図１７は実施例１の投射型表示装置を一部変形させた変形例６において、Ｒ光用又はＧ光用もしくはＢ光用の反射型液晶パネル組立体を拡大して示した斜視図である。
【０１０７】
図１５及び図１６（ａ），（ｂ）に示した如く、実施例１を一部変形させた変形例６の投射型表示装置１０Ｆでは、Ｒ光用反射型液晶パネル組立体４５Ｒ及びＧ光用反射型液晶パネル組立体４５Ｇ並びにＢ光用反射型液晶パネル組立体４５Ｂ内にそれぞれ設けた各三角柱４６のうちで第３面４６ｃ（図１７）の形状が実施例１の三角柱３１（図１，図２）に対して異なっている。
【０１０８】
即ち、図１７に拡大して示した如く、実施例１の変形例６では、Ｒ光用反射型液晶パネル組立体４５Ｒ及びＧ光用反射型液晶パネル組立体４５Ｇ並びにＢ光用反射型液晶パネル組立体４５Ｂのそれぞれは、内部を中空状に形成した三角柱４６を各色光ごとに用意して、各色光用の三角柱４６内で光源１１（図１５）から色分解光学系１７，１９（図１５）までの各色光照明手段からの各色光の光軸に対して４５°の傾斜角を有する第１面４６ａに偏光分離手段となる板状の反射型偏光板３２（いわゆる「ワイヤグリッド偏光子」）が取り付けられ、且つ、各色光用の反射型偏光板３２を透過した各色光の光軸に対して直交する第２面４６ｂに反射型液晶パネル３３が取り付けられている点は実施例１に対して同じであるものの、各色光用の反射型液晶パネル３３による反射光を各色光用の反射型偏光板３２で反射した各色光の光軸に対して所定角度の傾斜角θを有する第３面４６ｃに不要偏光光除去手段となる透過型偏光板３４が取り付けられて、所定角度傾斜した各色光用の透過型偏光板３４で投射レンズ４２側からの不要反射光を投射させないようにしていると共に、更に、三角柱４６の第１面４６ａ〜第３面４６ｃで囲まれた空間を下面４６ｄ及び上面４６ｅで塵埃などに対して密閉させた状態で、各色光用の透過型偏光板３４側を３色合成クロスダイクロイックプリズム４０の各入射面４０ａ〜４０ｃ（図１５，図１６）に対してそれぞれ隙間を隔てて対向させている。
【０１０９】
この際、三角柱４６の光出射面側となる第３面４６ｃの傾斜方向は、各色光用の液晶パネル３３から出射される出射光の拡がりに沿って傾斜させるのが望ましい。また、三角柱４６の第３面４６ｃの傾斜角θは、この第３面４６ｃに沿って取り付けた各色光用の透過型偏光板３４の法線と、各色光の光軸との成す角度として設定されており、各色光用の液晶パネル３３から出射される各色光の有効光束の最大角度の光線が投射レンズ４２（図１５）の取り込み角度を超えるように傾けると効果的であり、具体的には、Ｆ２．８の投射レンズ４２を用いた場合には三角柱４６の第３面４６ｃの傾斜角θを１０°以上傾斜させ、また、Ｆ３．２の投射レンズ４２を用いた場合には８°程度傾斜させている。
【０１１０】
尚、上記した三角柱４６は、実施例１を一部変形させた後述の変形例７〜９にも適用されるものである。
【０１１１】
ここで、上記した投射レンズ４２側からの不要反射光について述べると、各色光用の透過型偏光板３４から投射レンズ４２に至るまでの各光学部品の各界面にはＡＲコート（Ａｎｔｉ  Ｒｅｆｌｅｃｔｉｏｎ  Ｃｏａｔ：反射防止膜）が施され、各光学部品の各界面で発生する界面反射ロスをできるだけ小さくしているが、各光学部品の各界面にＡＲコートが施されていても実際には０．２％から１％程度反射して不要反射光が生じている。そして、この不要反射光が投射レンズ４２を介してスクリーン（図示せず）に投射されると、投射レンズ４２から出射される色合成画像光に対してコントラストを低下させたり、ゴースト像が映り込んだりする原因となる。
【０１１２】
そこで、実施例１を一部変形させた変形例６の投射型表示装置１０Ｆでは、とくに、各色光用の三角柱４６の光出射面側となる第３面４６ｃを各色光の光軸に対して所定角度傾斜させて、この第３面４６ｃに沿って各色光用の透過型偏光板３４を傾斜させて取り付けることで、投射レンズ４２側からの不要反射光が各色光用の透過型偏光板３４に戻って、各色光用の透過型偏光板３４の界面反射で再び不要反射光が３色合成クロスダイクロイックプリズム４０を介して投射レンズ４２に入射する時に不要反射光が投射レンズ４２の取り込み角から外れてスクリーン（図示せず）に到達しないようになる。
【０１１３】
これにより、投射レンズ４２から出射される色合成画像光に対してコントラストを低下させることがなく、且つ、ゴースト像が映り込んだりする原因も除去されるので、高画質の色合成画像光をスクリーン上に投射させることができる。
【０１１４】
更に、三角柱４６の第３面４６ｃに取り付けた各色光用の透過型偏光板３４に、不要波長帯域制限作用を付加することで、色純度を高めることができる。
【０１１５】
また、ある色対応の液晶パネル３３から他の色対応の液晶パネル３３に混入するようなゴースト成分をカットすることができる。例えば、Ｒ，Ｇ，Ｂ各帯域の幅を狭くしたダイクロイックフィルタの蒸着を施した各色光用の透過型偏光板３４を採用することで、Ｒ，Ｇ，Ｂ各帯域間の混色成分を減衰させることができる。勿論、ダイクロイックフィルタ付きの各色光用の透過型偏光板３４は、前述したように各色光の光軸に対して所定角度傾斜させているので、ダイクロイック膜のような反射型の波長帯域制限機能を持たせても、投射レンズ４２側からの不要反射光がスクリーン（図示せず）に到達することがないので、結果として色純度が高くコントラストの良い投射画像を得ることができる。
【０１１６】
そして、この実施例１の変形例６でも、図１６に示したように、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されているので、ファン２６の空冷により各色光用の反射型液晶パネル３３及び各色光用の透過型偏光板３４並びに３色合成クロスダイクロイックプリズム４０の温度上昇を抑えて、発熱による劣化をより確実に防止でき、これにより高輝度化、高コントラス化が達成でき、変形例６の投射型表示装置１０Ｆへの信頼性向上に寄与できる。
【０１１７】
次に、実施例１の投射型表示装置１０を一部変形させた変形例７の投射型表示装置１０Ｇについて図１８及び図１９（ａ），（ｂ）を用いて、実施例１（図１，図２）及び実施例１を一部変形させた変形例１（図５，図６）に対して異なる点を中心にして簡略に説明する。
【０１１８】
図１８は本発明に係る実施例１の投射型表示装置を一部変形させた変形例７の投射型表示装置の構成を示した平面図、
図１９（ａ），（ｂ）は実施例１の投射型表示装置を一部変形させた変形例７において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【０１１９】
図１８及び図１９（ａ），（ｂ）に示した如く、実施例１を一部変形させた変形例７の投射型表示装置１０Ｇでは、Ｒ光用反射型液晶パネル組立体４５Ｒ’及びＧ光用反射型液晶パネル組立体４５Ｇ’並びにＢ光用反射型液晶パネル組立体４５Ｂ’内にそれぞれ設けた各三角柱４６のうちで第３面４６ｃ（図１７）の形状が実施例１の三角柱３１（図１，図２）及び変形例１の三角柱３１（図５，図６）に対して異なっている一方、この第３面４６ｃに不要偏光光除去手段として、不要偏光光を反射する各色光用の反射型偏光板３５を取り付けている点が変形例１と同じである。
【０１２０】
即ち、実施例１の変形例７では、Ｒ光用反射型液晶パネル組立体４５Ｒ’及びＧ光用反射型液晶パネル組立体４５Ｇ’並びにＢ光用反射型液晶パネル組立体４５Ｂ’のそれぞれは、内部を中空状に形成した三角柱４６を各色光ごとに用意して、各色光用の三角柱４６内で光源１１から色分解光学系１７，１９までの各色光照明手段からの各色光の光軸に対して４５°の傾斜角を有する第１面４６ａ（図１７）に偏光分離手段となる板状の反射型偏光板３２（いわゆる「ワイヤグリッド偏光子」）が取り付けられ、且つ、各色光用の反射型偏光板３２を透過した各色光の光軸に対して直交する第２面４６ｂ（図１７）に反射型液晶パネル３３が取り付けられている点は実施例１及び変形例１に対して同じであるものの、各色光用の反射型液晶パネル３３による反射光を各色光用の反射型偏光板３２で反射した各色光の光軸に対して所定角度の傾斜角θ（図１７）を有する第３面４６ｃ（図１７）に不要偏光光除去手段となる反射型偏光板３５が実施例１の透過型偏光板３４（図１，図２）に代えて取り付けられて、所定角度傾斜した各色光用の反射型偏光板３５で投射レンズ４２側からの不要反射光を投射させないようにしていると共に、各色光用の反射型偏光板３５側を３色合成クロスダイクロイックプリズム４０の各入射面４０ａ〜４０ｃに対してそれぞれ隙間を隔てて対向させている点が実施例１及び変形例１に対して異っている。
【０１２１】
この際、三角柱４６の光出射面側となる第３面４６ｃの傾斜角θ（図１７）は、この第３面４６ｃに沿って取り付けた各色光用の反射型偏光板３５の法線と、各色光の光軸との成す角度として設定されており、各色光用の液晶パネル３３から出射される各色光の有効光束の最大角度の光線が投射レンズ４２（図１８）の取り込み角度を超えるように傾けると効果的であり、具体的には、Ｆ２．８の投射レンズ４２を用いた場合には三角柱４６の第３面４６ｃの傾斜角θを１０°以上傾斜させ、また、Ｆ３．２の投射レンズ４２を用いた場合には８°程度傾斜させている。
【０１２２】
従って、実施例１を一部変形させた変形例７の投射型表示装置１０Ｇでは、とくに、各色光用の三角柱４６の光出射面側となる第３面４６ｃを各色光の光軸に対して所定角度傾斜させて、この第３面４６ｃに沿って各色光用の反射型偏光板３５を傾斜させて取り付けることで、投射レンズ４２側からの不要反射光が各色光用の反射型偏光板３５に戻って、各色光用の反射型偏光板３５の界面反射で再び不要反射光が３色合成クロスダイクロイックプリズム４０を介して投射レンズ４２に入射する時に不要反射光が投射レンズ４２の取り込み角から外れてスクリーン（図示せず）に到達しないようになる。
【０１２３】
これにより、投射レンズ４２から出射される色合成画像光に対してコントラストを低下させることがなく、且つ、ゴースト像が映り込んだりする原因も除去されるので、高画質の色合成画像光をスクリーン上に投射させることができる。
【０１２４】
更に、三角柱４６の第３面４６ｃに取り付けた各色光用の反射型偏光板３５に、例えば、Ｒ，Ｇ，Ｂ各帯域の幅を狭くしたダイクロイックフィルタの蒸着を施して不要波長帯域制限作用を付加することで、色純度が高くコントラストの良い投射画像を得ることができる。
【０１２５】
そして、この実施例１の変形例７でも、図１９に示したように、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されているので、ファン２６の空冷により各色光用の反射型液晶パネル３３及び各色光用の反射型偏光板３５並びに３色合成クロスダイクロイックプリズム４０の温度上昇を抑えて、発熱による劣化をより確実に防止でき、これにより高輝度化、高コントラス化が達成でき、変形例７の投射型表示装置１０Ｇへの信頼性向上に寄与できる。
【０１２６】
次に、実施例１の投射型表示装置１０を一部変形させた変形例８の投射型表示装置１０Ｈについて図２０及び図２１（ａ），（ｂ）を用いて、実施例１（図１，図２）及び実施例１を一部変形させた変形例２（図７，図８）に対して異なる点を中心にして簡略に説明する。
【０１２７】
図２０は本発明に係る実施例１の投射型表示装置を一部変形させた変形例８の投射型表示装置の構成を示した平面図、
図２１（ａ），（ｂ）は実施例１の投射型表示装置を一部変形させた変形例８において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【０１２８】
図２０及び図２１（ａ），（ｂ）に示した如く、実施例１を一部変形させた変形例８の投射型表示装置１０Ｈでは、Ｒ光用反射型液晶パネル組立体４５Ｒ’’及びＧ光用反射型液晶パネル組立体４５Ｇ’’並びにＢ光用反射型液晶パネル組立体４５Ｂ’’内にそれぞれ設けた各三角柱４６のうちで第３面４６（図１７）ｃの形状が実施例１の三角柱３１（図１，図２）及び変形例２の三角柱３１（図７，図８）に対して異なっている一方、この第３面４６ｃに各色光用の透明ガラス板３６が取り付けられ且つ各色光用の透明ガラス板３６と対向して３色合成クロスダイクロイックプリズム４０の各入射面４０ａ〜４０ｃに各色光用の不要偏光光除去手段として光吸収型の透過型偏光板３７が固着されている点が変形例２と同じである。
【０１２９】
即ち、実施例１の変形例８では、Ｒ光用反射型液晶パネル組立体４５Ｒ’’及びＧ光用反射型液晶パネル組立体４５Ｇ’’並びにＢ光用反射型液晶パネル組立体４５Ｂ’’のそれぞれは、内部を中空状に形成した三角柱４６を各色光ごとに用意して、各色光用の三角柱４６内で光源１１から色分解光学系１７，１９までの各色光照明手段からの各色光の光軸に対して４５°の傾斜角を有する第１面４６ａ（図１７）に偏光分離手段となる板状の反射型偏光板（いわゆる「ワイヤグリッド偏光子」）３２が取り付けられ、且つ、各色光用の反射型偏光板３２を透過した各色光の光軸に対して直交する第２面４６ｂ（図１７）に反射型液晶パネル３３が取り付けられている点は実施例１及び変形例２に対して同じであるものの、各色光用の反射型液晶パネル３３による反射光を各色光用の反射型偏光板３２で反射した各色光の光軸に対して所定角度の傾斜角θ（図１７）を有する第３面４６ｃ（図１７）に透明ガラス板３６が実施例１の透過型偏光板３４（図１，図２）に代えて取り付けられて、所定角度傾斜した各色光用の透明ガラス板３６で投射レンズ４２側からの不要反射光を投射させないようにしていると共に、各色光用の透明ガラス板３６側を３色合成クロスダイクロイックプリズム４０の各入射面４０ａ〜４０ｃに対してそれぞれ隙間を隔てて対向させている点が実施例１及び変形例２に対して異っている。
【０１３０】
上記に伴って、３色合成クロスダイクロイックプリズム４０の各入射面４０ａ〜４０ｃには、各色光用の透明ガラス板３６を透過した各色光に対して不用偏光光を除去する各色光用の不要偏光光除去手段として光吸収型の透過型偏光板３７がそれぞれ固着されている点は変形例２と同じである。
【０１３１】
この際、三角柱４６の光出射面側となる第３面４６ｃの傾斜角θ（図１７）は、この第３面４６ｃに沿って取り付けた各色光用の透明ガラス板３６の法線と、各色光の光軸との成す角度として設定されており、各色光用の液晶パネル３３から出射される各色光の有効光束の最大角度の光線が投射レンズ４２（図２０）の取り込み角度を超えるように傾けると効果的であり、具体的には、Ｆ２．８の投射レンズ４２を用いた場合には三角柱４６の第３面４６ｃの傾斜角θを１０°以上傾斜させ、また、Ｆ３．２の投射レンズ４２を用いた場合には８°程度傾斜させている。
【０１３２】
従って、実施例１を一部変形させた変形例８の投射型表示装置１０Ｈでは、とくに、各色光用の三角柱４６の光出射面側となる第３面４６ｃを各色光の光軸に対して所定角度傾斜させて、この第３面４６ｃに沿って各色光用の透明ガラス板３６を傾斜させて取り付けることで、投射レンズ４２側からの不要反射光が各色光用の透明ガラス板３６に戻って、各色光用の透明ガラス板３６の界面反射で再び不要反射光が各色光用の透過型偏光板３７及び３色合成クロスダイクロイックプリズム４０を介して投射レンズ４２に入射する時に不要反射光が投射レンズ４２の取り込み角から外れてスクリーン（図示せず）に到達しないようになる。
【０１３３】
これにより、投射レンズ４２から出射される色合成画像光に対してコントラストを低下させることがなく、且つ、ゴースト像が映り込んだりする原因も除去されるので、高画質の色合成画像光をスクリーン上に投射させることができる。
【０１３４】
更に、三角柱４６の第３面４６ｃに取り付けた各色光用の透明ガラス板３６に、例えば、Ｒ，Ｇ，Ｂ各帯域の幅を狭くしたダイクロイックフィルタの蒸着を施して不要波長帯域制限作用を付加することで、色純度が高くコントラストの良い投射画像を得ることができる。
【０１３５】
そして、この実施例１の変形例８でも、図２１に示したように、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されているので、ファン２６の空冷により各色光用の反射型液晶パネル３３及び各色光用の透明ガラス板３６と、３色合成クロスダイクロイックプリズム４０の各入射面４０ａ〜４０ｃに固着させた各色光用の透過型偏光板３７の温度上昇を抑えて、発熱による劣化を防止でき、これにより高輝度化、高コントラス化が達成でき、実施例１を一部変形させた変形例８の投射型表示装置１０Ｈへの信頼性向上に寄与できる。
【０１３６】
次に、実施例１の投射型表示装置１０を一部変形させた変形例９の投射型表示装置１０Ｉについて図２２及び図２３（ａ），（ｂ）を用いて、実施例１（図１，図２）及び実施例１を一部変形させた変形例３（図９，図１０）に対して異なる点を中心にして簡略に説明する。
【０１３７】
図２２は本発明に係る実施例１の投射型表示装置を一部変形させた変形例９の投射型表示装置の構成を示した平面図、
図２３（ａ），（ｂ）は実施例１の投射型表示装置を一部変形させた変形例９において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【０１３８】
図２２及び図２３（ａ），（ｂ）に示した如く、実施例１を一部変形させた変形例９の投射型表示装置１０Ｉでは、Ｒ光用反射型液晶パネル組立体４５Ｒ’’及びＧ光用反射型液晶パネル組立体４５Ｇ’’並びにＢ光用反射型液晶パネル組立体４５Ｂ’内にそれぞれ設けた各三角柱４６のうちで第３面４６ｃ（図１７）の形状が実施例１の三角柱３１（図１，図２）及び変形例３の三角柱３１（図９，図１０）に対して異なっている一方、Ｒ光用及びＧ光用の各三角柱４６の第３面４６ｃにＲ光用及びＧ光用の透明ガラス板３６をそれぞれ取り付け、且つ、Ｂ光用の三角柱４６の第３面４６ｃにＢ光に対して不要偏光光除去手段として反射型偏光板３５を取り付けていると共に、Ｒ光及びびＧ光に対して不要偏光光除去手段として光吸収型の透過型偏光板３７を３色合成クロスダイクロイックプリズム４０の各入射面４０ａ，４０ｂに固着させている点が変形例３と同じである。
【０１３９】
即ち、実施例１の変形例９では、Ｒ光用反射型液晶パネル組立体４５Ｒ’’及びＧ光用反射型液晶パネル組立体４５Ｇ’’ 並びにＢ光用反射型液晶パネル組立体４５Ｂ’のそれぞれは、内部を中空状に形成した三角柱４６を各色光ごとに用意して、各色光用の三角柱４６内で光源１１から色分解光学系１７，１９までの各色光照明手段からの各色光の光軸に対して４５°の傾斜角を有する第１面４６ａ（図１７）に偏光分離手段となる板状の反射型偏光板（いわゆる「ワイヤグリッド偏光子」）３２が取り付けられ、且つ、各色光用の反射型偏光板３２を透過した各色光の光軸に対して直交する第２面４６ｂ（図１７）に各色光用の反射型液晶パネル３３が取り付けられている点は実施例１及び変形例３に対して同じであるものの、Ｒ光用及びＧ光用の反射型液晶パネル３３による各反射光をＲ光用及びＧ光用の反射型偏光板３２でそれぞれ反射したＲ光及びＧ光の光軸に対して所定角度の傾斜角θ（図１７）を有する第３面４６ｃ（図１７）にＲ光用及びＧ光用の透明ガラス板３６が実施例１の透過型偏光板３４（図１，図２）に代えてそれぞれ取り付けられ、且つ、Ｂ光用の反射型液晶パネル３３による反射光をＢ光用の反射型偏光板３２で反射したＢ光の光軸に対して所定角度の傾斜角θ（図１７）を有する第３面４６ｃ（図１７）に不要偏光光除去手段となるＢ光用の反射型偏光板３５が実施例１の透過型偏光板３４（図１，図２）に代えて取り付けられて、所定角度傾斜したＲ光用，Ｇ光用の透明ガラス板３６及びＢ光用の反射型偏光板３５で投射レンズ４２側からの不要反射光を投射させないようにしていると共に、更に、Ｒ光用及びＧ光用の透明ガラス板３６側を３色合成クロスダイクロイックプリズム４０の各入射面４０ａ，４０ｂに固着させたＲ光用及びＧ光用の不要偏光光除去手段となる透過型偏光板３７に対して各隙間を隔てて対向させ、且つ、Ｂ光用の反射型偏光板３５側を３色合成クロスダイクロイックプリズム４０の入射面４０ｃに対して隙間を隔てて対向させている点が実施例１及び変形例３と異なっている。
【０１４０】
この際、三角柱４６の光出射面側となる第３面４６ｃの傾斜角θ（図１７）は、この第３面４６ｃに沿ってそれぞれ取り付けたＲ光用，Ｇ光用の透明ガラス板３６及びＢ光用の反射型偏光板３５の各法線と、各色光の光軸との成す角度として設定されており、各色光用の液晶パネル３３から出射される各色光の有効光束の最大角度の光線が投射レンズ４２（図２２）の取り込み角度を超えるように傾けると効果的であり、具体的には、Ｆ２．８の投射レンズ４２を用いた場合には三角柱４６の第３面４６ｃの傾斜角θを１０°以上傾斜させ、また、Ｆ３．２の投射レンズ４２を用いた場合には８°程度傾斜させている。
【０１４１】
従って、実施例１を一部変形させた変形例９の投射型表示装置１０Ｉでは、とくに、各色光用の三角柱４６の光出射面側となる第３面４６ｃを各色光の光軸に対して所定角度傾斜させて、この第３面４６ｃに沿ってＲ光用，Ｇ光用の透明ガラス板３６及びＢ光用の反射型偏光板３５を傾斜させてそれぞれ取り付けることで、投射レンズ４２側からの不要反射光がＲ光用，Ｇ光用の透明ガラス板３６及びＢ光用の反射型偏光板３５に戻って、Ｒ光用，Ｇ光用の透明ガラス板３６及びＢ光用の反射型偏光板３５の各界面反射で再び不要反射光がＲ光用，Ｇ光用の透過型偏光板３７及び３色合成クロスダイクロイックプリズム４０を介して投射レンズ４２に入射する時に不要反射光が投射レンズ４２の取り込み角から外れてスクリーン（図示せず）に到達しないようになる。
【０１４２】
これにより、投射レンズ４２から出射される色合成画像光に対してコントラストを低下させることがなく、且つ、ゴースト像が映り込んだりする原因も除去されるので、高画質の色合成画像光をスクリーン上に投射させることができる。
【０１４３】
更に、三角柱４６の第３面４６ｃにそれぞれ取り付けたＲ光用，Ｇ光用の透明ガラス板３６及びＢ光用の反射型偏光板３５に、例えば、Ｒ，Ｇ，Ｂ各帯域の幅を狭くしたダイクロイックフィルタの蒸着を施して不要波長帯域制限作用を付加することで、色純度が高くコントラストの良い投射画像を得ることができる。
【０１４４】
そして、この実施例１の変形例９でも、図２３に示したように、ファン２６を回転させた時に生じた風Ｗがベース台２５の下面２５ｂ側からこのベース台２５に穿設した第１，第２送風孔２５ｃ，２５ｄを通り抜けて、ベース台２５の上面２５ａ側に送風されているので、ファン２６の空冷により反射型液晶パネル３３，反射型偏光板３５，透明ガラス板３６，透過型偏光板３７の温度上昇を抑えて、発熱による劣化を防止でき、これにより高輝度化、高コントラス化が達成でき、実施例１を一部変形させた変形例９の投射型表示装置１０Ｉへの信頼性向上に寄与できる。
【実施例２】
【０１４５】
図２４は本発明に係る実施例２の投射型表示装置の構成を示した平面図、
図２５は本発明に係る実施例２の投射型表示装置において、３色合成プリズム及びＧ光用反射型液晶パネル組立体を示した側面図である。
【０１４６】
図２４に示した如く、本発明に係る実施例２の投射型表示装置５０は、Ｒ光，Ｇ光，Ｂ光にそれぞれ対応した空間光変調素子として光を反射する反射型を用いて構成されているものの、実施例１に対して光学系の構成が異なっている。
【０１４７】
即ち、実施例２の投射型表示装置５０では、無偏光の白色光を出射する光源５１と、光源５１からの白色光をＲ光，Ｇ光，Ｂ光に色分解する色分解光学系５８，６０と、Ｒ，Ｇ，Ｂ光用の各空間光変調素子（以下、反射型液晶パネルと記す）８３と、Ｒ，Ｇ，Ｂ光用の各液晶パネル８３でそれぞれ光変調された各色の画像光を色合成する３色合成プリズム９０と、この色合成プリズム９０で得られた色合成画像光を投射する投射レンズ９２とが同一平面上に配置されている。
【０１４８】
まず、光源５１はメタルハライドランプ，キセノンランプ，ハロゲンランプなどを用いてＲ光，Ｇ光，Ｂ光を含んだ無偏光の白色光を出射しており、この光源５１から出射した白色光が凹球面反射鏡５２で反射されることにより、略々平行光となって凹球面反射鏡５２の前面に取り付けた第１のフライアイレンズアレイ５３と、この第１のフライアイレンズアレイ５３の前方に設けた第２のフライアイレンズアレイ５４とに順に入射される。これら第１，第２のフライアイレンズアレイ５３，５４は、対をなして白色光の光束内の照度分布を均一化するためのインテグレータを構成している。尚，光源５１の前方に、紫外光及び赤外光をカットする図示しない可視外光除去フィルタを配置しても良い。
【０１４９】
この後、第１，第２のフライアイレンズアレイ５３，５４により照度分布を均一化された無偏光の白色光は、偏光変換光学素子となる偏光変換プリズムアレイ５５に入射される。この偏光変換プリズムアレイ５５は、実施例１の偏光変換プリズムアレイ１５（図１）と同様に構成されているものであり、偏光分離プリズムアレイと、λ／２位相差板とを有して、全体として平板状に構成されている。そして、偏光変換プリズムアレイ５５を透過した光は、所定の一方向の偏光光となされており、この実施例２でも実施例１と同様に、偏光変換プリズムアレイ５５によって得られる所定の一方向の偏光光は例えばＰ偏光光であるが、これに限られるわけではなく、光源５１からの白色光を光変換プリズムアレイ５５でＳ偏光光に偏光変換する方法も可能である。
【０１５０】
この後、偏光変換プリズムアレイ５５を透過したＰ偏光光の白色光は、第１のフィールドレンズ５６を経て、第１のコールドミラー５７によって反射されて光路を曲げられ、第１のダイクロイックミラー５８に入射する。この第１のダイクロイックミラー５８は、３原色光のうちの２色の成分光を透過させ、残りを反射する。この実施例２の形態においては、第１のダイクロイックミラー５８は、例えばＲ光及びＧ光を透過させ、Ｂ光を反射する。
【０１５１】
そして、第１のダイクロイックミラー５８を透過したＲ光及びＧ光は、第２のコールドミラー５９によって反射され、第２のダイクロイックミラー６０に入射する。この第２のダイクロイックミラー６０は、例えばＲ光を透過させ、Ｇ光を反射する。
【０１５２】
この後、第２のダイクロイックミラー６０を透過したＲ光は、第２のフィールドレンズ６１及び偏光板６２を経て、Ｒ光用反射型液晶パネル組立体８０Ｒに入射する。
【０１５３】
一方、第２のダイクロイックミラー６０により反射されたＧ光は、第３のフィールドレンズ６３及び偏光板６４を経て、Ｇ光用反射型液晶パネル組立体８０Ｇに入射する。
【０１５４】
また、第１のダイクロイックミラー５８により反射されたＢ光は、第３のコールドミラー６５によって反射され、さらに、第４のコールドミラー６６によって反射されて、第４のフィールドレンズ６７及び偏光板６８を経て、Ｂ光用反射型液晶パネル組立体８０Ｂに入射する。
【０１５５】
上記から第１，第２のダイクロイックミラー５８，６０が光源５１からの白色光をＲ光，Ｇ光，Ｂ光に色分解する色分解光学系を構成しており、且つ、光源５１から色分解光学系５８，６０までの各構成部材が、Ｒ光，Ｇ光，Ｂ光を、各色光用の反射型液晶パネル（反射型空間光変調素子）８３にそれぞれ照明するための各色光照明手段となっている。
【０１５６】
このように構成された色分解光学系においては、光源５１からＲ，Ｇ，Ｂ光用の各液晶パネル８０Ｒ，８０Ｇ，８０Ｂに至る各光路長は、互いに略等しくなっている。
【０１５７】
尚、第２〜第４のコールドミラー５９，６５，６６は、必ずしもコールドミラーでなくても良く、入射する光を反射する特性であれば、通常の金属膜反射ミラーまたは各色光帯域を反射するダイクロイックミラーであっても良い。
【０１５８】
ここで、Ｒ光用反射型液晶パネル組立体８０Ｒ及びＧ光用反射型液晶パネル組立体８０Ｇ並びにＢ光用反射型液晶パネル組立体８０Ｂは全て同一に構成されており、且つ、Ｒ光用反射型液晶パネル組立体８０Ｒ及びＧ光用反射型液晶パネル組立体８０Ｇ並びにＢ光用反射型液晶パネル組立体８０Ｂは、実施例１とは形状の異なる色合成光学系として第１〜第３プリズム９０ａ〜９０ｃを接合して形成された３色合成プリズム９０の各入射面に対してそれぞれ隙間を隔てて対向している。
【０１５９】
また、Ｒ光用反射型液晶パネル組立体８０Ｒ及びＧ光用反射型液晶パネル組立体８０Ｇ並びにＢ光用反射型液晶パネル組立体８０Ｂ及び３色合成プリズム９０は、アルミ材などを用いたベース台７０（図２５のみ図示）の上面７０ａ上に接着剤により固定されている。
【０１６０】
更に、図２４及び図２５に示した如く、Ｒ光用反射型液晶パネル組立体８０Ｒ及びＧ光用反射型液晶パネル組立体８０Ｇ並びにＢ光用反射型液晶パネル組立体８０Ｂのそれぞれは、実施例１と同様に、内部を中空状に形成した三角柱８１（図２５のみ図示）を各色光ごとに用意して、各色光用の三角柱８１内で光源５１から色分解光学系５８，６０までの各色光照明手段からの各色光の光軸に対して４５°の傾斜角を有する第１面に偏光分離手段となる板状の反射型偏光板（いわゆる「ワイヤグリッド偏光子」）８２が取り付けられ、且つ、各色光用の反射型偏光板８２を透過した各色光の光軸に対して直交する第２面に反射型液晶パネル８３が取り付けられていると共に、各色光用の反射型液晶パネル８３による反射光を各色光用の反射型偏光板８２で反射した各色光の光軸に対して直交する第３面に不要偏光光除去手段となる透過型偏光板８４が取り付けられ、更に、三角柱８１の第１面〜第３面で囲まれた空間を下面及び上面で塵埃などに対して密閉させた状態で、各色光用の透過型偏光板８４側を３色合成プリズム９０の第１〜第３プリズム９０ａ〜９０ｃの各入射面に対してそれぞれ隙間を隔てて対向させている。
【０１６１】
この際、各色光用の三角柱８１にそれぞれ取り付けて配置した反射型偏光板８２及び反射型液晶パネル８３並びに透過型偏光板８４は、ベース台７０（図２５のみ図示）の上面７０ａに対して垂設されている。また、各色光用の反射型液晶パネル８３は、液晶のプレチルト分を往復で補正するための波長板８３ａ（図２５のみ図示）が表面に取り付けられており、且つ、各色光用の反射型液晶パネル８３を冷却するためのヒートシンク８３ｂ（図２５のみ図示）が反射型液晶パネル８３の裏面に取り付けられている。
【０１６２】
そして、Ｐ偏光成分のＲ光，Ｇ光，Ｂ光をＲ光用反射型液晶パネル組立体８０Ｒ，Ｇ光用反射型液晶パネル組立体８０Ｇ，Ｂ光用反射型液晶パネル組立体８０Ｂにそれぞれ入射させた時に、各色光用の三角柱８１に取り付けた各色光用の反射型偏光板８２によりＰ偏光成分のみを透過させて各色光用の反射型液晶パネル８３に入射させている。
【０１６３】
この後、各色光用の反射型液晶パネル８３内でＲ光，Ｇ光，Ｂ光の各色の画像信号に応じて光変調されて反射された各光束は、それぞれ対応する各色光用の反射型偏光板８２に戻り、ここで各色光用の反射型偏光板８２により各色光用の反射型液晶パネル８３で光変調されて反射された各光束を偏光分離し、他方向の直線偏光成分（ここでは、Ｓ偏光成分）のみを反射した光束を各色光用の透過型偏光板８４を透過させた後に３色合成プリズム９０に対して３方向から入射させている。
【０１６４】
この際、３色合成プリズム９０は、いわゆる「フィリップス型プリズム」と呼ばれるものであり、例えば、特許第２５０５７５８号公報に記載されているように、画面対応部分に接合部を有さないプリズムであり、いわゆる「３板式ビデオカメラ」で色分解プリズムとして使用されているものである。この３色合成プリズム９０は、少なくとも２組の対向面を形成して配置された少なくとも第１〜第３プリズム９０ａ〜９０ｃより構成されており、第１プリズム９０ａと第２プリズム９０ｂとを接合した第１の対向面には、Ｒ光を反射し且つＧ光を透過させる第１ダイクロイック膜が形成され、第１プリズム９０ａと第３プリズム９０ｃとを接合した第２の対向面には、Ｒ光及びＧ光を透過させ且つＢ光を反射する第２ダイクロイック膜が形成されている。
【０１６５】
従って、この３色合成プリズム９０において、第１プリズム９０ａから入射されたＲ光は、第１ダイクロイック膜により反射され、第２ダイクロイック膜を透過して、第３プリズム９０ｃ内に進入し、また、第２プリズム９０ｂから入射されたＧ光は、第１，第２ダイクロイック膜をそのまま透過して、第３プリズム９０ｃ内に進入し、また、第３プリズム９０ｃから入射されたＢ光は、第２ダイクロイック膜により反射され、この第３プリズム９０ｃ内でＲ光，Ｇ光，Ｂ光の各画像光が色合成され、３色合成プリズム９０で得られた色合成画像光が１／４波長板９１を介して投射レンズ９２に入射され、この投射レンズ９２によって図示しないスクリーン上に拡大投射されて実像を結像し、色合成画像光を表示している。
【０１６６】
このように、この実施例２の投射型表示装置５０も、同一平面上に、色分解光学系、偏光分離、空間光変調、色合成光学系部、投射レンズを構成する光学素子を配置して構成されているので、装置全体を同一平面上において構成することができ、装置の高さを低くしてコンパクトに構成することができる。また、光源５１から各色光用の反射型液晶パネル８３までに至る光路長が等しくなっていることにより、色分解光学系内においてリレーレンズが不要となっており、光学系の構成を簡素化することができ、製造の容易化及びコスト低廉化を図ることができる。
【０１６７】
更に、実施例２では、図２５に示した如く、ベース台７０の上面７０ａ上で例えばＧ光用反射型液晶パネル組立体８０Ｇに対して隙間を隔てて３色合成プリズム９０中の第２プリズム９０ｂを対向させて、Ｇ光用反射型液晶パネル組立体８０Ｇ内にＧ光を入射させた時に、内部を密閉したＧ光用の三角柱８１にそれぞれ取り付けて配置した反射型偏光板８２及び反射型液晶パネル８３並びに透過型偏光板８４と、３色合成プリズム９０中の第２プリズム９０ｂとが光源５１からの光によって温度上昇するので、これらの光学部材の温度上昇を避けるために、ベース台７０の下面７０ｂ側に、空冷手段となるファン７１が回転自在に設置されている。
【０１６８】
これに伴って、ベース台７０には、Ｇ光用反射型液晶パネル組立体８０Ｇと３色合成プリズム９０中の第２プリズム９０ｂとの間に形成された隙間に対応して第１送風孔７０ｃが貫通して穿設されていると共に、Ｇ光用の反射型液晶パネル８３の裏面に取り付けたヒートシンク８３ｂと対向して第２送風孔７０ｄが貫通して穿設されている。
【０１６９】
そして、ファン７１を回転させた時に生じた風Ｗがベース台７０の下面７０ｂ側からこのベース台７０に穿設した第１，第２送風孔７０ｃ，７０ｄを通り抜けて、ベース台７０の上面７０ａ側に送風されている。ここで、第１送風孔７０ｃを通り抜けた風Ｗは、Ｇ光用の三角柱８１に取り付けた透過型偏光板８４と３色合成プリズム９０中の第２プリズム９０ｂの入射面との間に形成された隙間内に送風されて、Ｇ光用の透過型偏光板８４の表面と３色合成プリズム９０中の第２プリズム９０ｂの入射面とをそれぞれ冷却すると共に、第２送風孔７０ｄを通り抜けた風ＷでＧ光用の反射型液晶パネル８３の裏面に取り付けたヒートシンク８３ｂを冷却しているので、Ｇ光用の反射型液晶パネル８３及びＧ光用の透過型偏光板８４並びに３色合成プリズム９０の温度上昇を抑えて、発熱による劣化を防止でき、これにより高輝度化、高コントラス化が達成でき、実施例２の投射型表示装置５０への信頼性向上に寄与できる。
【０１７０】
尚、Ｒ光用反射型液晶パネル組立体８０Ｒ及びＢ光用反射型液晶パネル組立体８０Ｂも、ここでの図示を省略するものの、Ｇ光用反射型液晶パネル組立体８０Ｇと同様にベース台７０の下面７０ｂ側に設けたファン７１により冷却している。
【０１７１】
尚更に、上記した本発明に係る実施例２の投射型表示装置５０に対して、実施例１の変形例１〜９と略同様の構成を採用することにより、実施例２の各変形例を構成することが可能であることは明らかである。また、この実施例２の変形例において、各色光の不要偏光光除去手段として、Ｒ光用に吸収型偏光板を用い、且つ、Ｇ，Ｂ光用に反射型偏光板を用いても良い。
【実施例３】
【０１７２】
図２６は本発明に係る実施例３の投射型表示装置の構成を示した斜視図、
図２７は本発明に係る実施例３の投射型表示装置の構成を示した平面図、
図２８（ａ），（ｂ）は実施例３の投射型表示装置において、Ｒ，Ｇ，Ｂ光用の各反射型液晶パネル組立体及び３色合成クロスダイクロイックプリズムを示した斜視図，Ｒ光用反射型液晶パネル組立体及び３色合成クロスダイクロイックプリズム並びにＢ光用反射型液晶パネル組立体を示したＸ−Ｘ断面図である。
【０１７３】
図２６及び図２７に示した如く、本発明に係る実施例３の投射型表示装置１００はＲ光，Ｇ光，Ｂ光にそれぞれ対応した空間光変調素子として光を反射する反射型を用いて構成されているものの、実施例１及び実施例２に対して光学系の構成が異なっている。
【０１７４】
即ち、実施例３の投射型表示装置１００では、実施例１，２とは異なって、上下に２層構成になった光学系を有している。この際、光学系の上層部分は、無偏光の白色光を出射する光源１０１と、光源１０１からの白色光をＲ光，Ｇ光，Ｂ光に色分解する色分解光学系１０８，１１２とが配置され、一方、光学系の下層部分は、Ｒ，Ｇ，Ｂ光用の各反射型空間光変調素子（以下、反射型液晶パネルと記す）１３３と、Ｒ，Ｇ，Ｂ光用の各液晶パネル１３３でそれぞれ偏向変調された各色の画像光を色合成する３色合成クロスダイクロイックプリズム１４０と、この３色合成クロスダイクロイックプリズム１４０で得られた色合成画像光を投射する投射レンズ１４２とが配置されている。
【０１７５】
まず、光源１０１はメタルハライドランプ，キセノンランプ，ハロゲンランプなどを用いてＲ光，Ｇ光，Ｂ光を含んだ白色光を出射しており、この光源１０１から出射した白色光が凹球面反射鏡１０２で反射されることにより、略々平行光となって凹球面反射鏡１０２の前方に設けた第１のフライアイレンズアレイ１０３と、この第１のフライアイレンズアレイ１０３の前方に設けた第２のフライアイレンズアレイ１０４とに順に入射される。これら第１，第２のフライアイレンズアレイ１０３，１０４は、対をなして白色光の光束内の照度分布を均一化するためのインテグレータを構成している。尚、光源１０１の前方に、紫外光及び赤外光をカットする図示しない可視外光除去フィルタを配置しても良い。
【０１７６】
この後、第１，第２のフライアイレンズアレイ１０３，１０４により照度分布を均一化された無偏光の白色光は、偏光変換光学素子となる偏光変換プリズムアレイ１０５に入射される。この偏光変換プリズムアレイ１０５は、実施例１の偏光変換プリズムアレイ１５（図１）と同様に構成されているものであり、偏光分離プリズムアレイと、λ／２位相差板とを有して、全体として平板状に構成されている。そして、偏光変換プリズムアレイ１０５を透過した光は、所定の一方向の偏光光となされており、この実施例３でも実施例１と同様に、偏光変換プリズムアレイ１０５によって得られる所定の一方向の偏光光は例えばＰ偏光光であるが、これに限られるわけではなく、光源１０１からの白色光を光変換プリズムアレイ１０５でＳ偏光光に偏光変換する方法も可能である。
【０１７７】
この後、偏光変換プリズムアレイ１０５を透過したＰ偏光光の白色光は、第１のフィールドレンズ１０６を経て、第１のコールドミラー１０７によって反射されて光路を曲げられ、第１のダイクロイックミラー１０８に入射する。この第１のダイクロイックミラー１０８は、３原色光のうちの２色の成分光を透過させ、残りを反射する。この実施例３の形態においては、第１のダイクロイックミラー１０８は、例えばＲ光を透過させ、Ｇ光及びＢ光を反射する。
【０１７８】
そして、第１のダイクロイックミラー１０８を透過したＲ光は、第２のコールドミラー１０９によって反射され、第２のフィールドレンズ１１０を経て集光される。このＲ光は、光路方向転換用の第１のステアリングミラー１１１に反射されることにより、下層部分に向けて光路を９０°折り曲げられる。第１のステアリングミラー１１１で反射されたＲ光は、下層部分に配置されたＲ光用反射型液晶パネル組立体１３０Ｒに入射する。
【０１７９】
また、第１のダイクロイックミラー１０８により反射されたＧ光及びＢ光は、第２のダイクロイックミラー１１２に入射する。この第２のダイクロイックミラー１１２は、例えばＢ光を透過させ、Ｇ光を反射する。
【０１８０】
この後、第２のダイクロイックミラー１１２により反射されたＧ光は、第３のフィールドレンズ１１３を経て、光路方向転換用の第２のステアリングミラー１１４に反射されることにより、下層部分に向けて光路を９０°折り曲げられる。第２のステアリングミラー１１４で反射されたＧ光は、下層部分に配置されたＧ光用反射型液晶パネル組立体１３０Ｇに入射する。
【０１８１】
一方、第２のダイクロイックミラー１１２を透過したＢ光は、第１のリレーレンズ１１５を経て、第３のコールドミラー１１６によって反射され、第２のリレーレンズ１１７を経て集光される。このＢ光は、さらに、第４のコールドミラー１１８によって反射され、第４のフィールドレンズ１１９を経て、光路方向転換用の第３のステアリングミラー１２０に反射されることにより、下層部分に向けて光路を９０°折り曲げられる。第３のステアリングミラー１２０で反射されたＢ光は、下層部分に配置されたＢ光用反射型液晶パネル組立体１３０Ｂに入射する。
【０１８２】
上記から第１，第２のダイクロイックミラー１０８，１１２が光源１０１からの白色光をＲ光，Ｇ光，Ｂ光に色分解する色分解光学系を構成しており、且つ、光源１０１から色分解光学系１０８，１１２までの各構成部材が、Ｒ光，Ｇ光，Ｂ光を、各色光用の反射型液晶パネル（反射型空間光変調素子）１３３にそれぞれ照明するための各色光照明手段となっている。
【０１８３】
ここで、Ｒ光用反射型液晶パネル組立体１３０Ｒ及びＧ光用反射型液晶パネル組立体１３０Ｇ並びにＢ光用反射型液晶パネル組立体１３０Ｂは全て同一に構成されており、且つ、Ｒ光用反射型液晶パネル組立体１３０Ｒ及びＧ光用反射型液晶パネル組立体１３０Ｇ並びにＢ光用反射型液晶パネル組立体１３０Ｂは、直方体形状に形成された色合成光学系となる３色合成クロスダイクロイックプリズム１４０の各入射面１４０ａ〜１４０ｃに対してそれぞれ隙間を隔てて対向している。
【０１８４】
この際、Ｒ光用反射型液晶パネル組立体１３０Ｒ及びＧ光用反射型液晶パネル組立体１３０Ｇ並びにＢ光用反射型液晶パネル組立体１３０Ｂと、３色合成クロスダイクロイックプリズム１４０は、図２８（ａ），（ｂ）に示した如く、アルミ材などを用いたベース台１２１の上面１２１ａ上に接着剤により固定されている。
【０１８５】
更に、図２６及び図２７並びに図２８（ａ），（ｂ）に示した如く、Ｒ光用反射型液晶パネル組立体１３０Ｒ及びＧ光用反射型液晶パネル組立体１３０Ｇ並びにＢ光用反射型液晶パネル組立体１３０Ｂのそれぞれは、内部を中空状に形成した三角柱１３１を各色光ごとに用意して、各色光用の三角柱１３１内で光源１０１から色分解光学系１０８，１１２までの各色光照明手段からの各色光の光軸に対して４５°の傾斜角を有する第１面に偏光分離手段となる板状の反射型偏光板（いわゆる「ワイヤグリッド偏光子」）１３２が取り付けられ、且つ、各色光用の反射型偏光板１３２を透過した各色光の光軸に対して直交する第２面に反射型液晶パネル１３３が取り付けられていると共に、各色光用の反射型液晶パネル１３３による反射光を各色光用の反射型偏光板１３２で反射した各色光の光軸に対して直交する第３面に不要偏光光除去手段となる透過型偏光板１３４が取り付けられ、更に、三角柱１３１の第１面〜第３面で囲まれた空間を下面及び上面で塵埃などに対して密閉させた状態で、各色光用の透過型偏光板１３４側を３色合成クロスダイクロイックプリズム１４０の各入射面１４０ａ〜１４０ｃに対してそれぞれ隙間を隔てて対向させている。
【０１８６】
この際、各色光用の三角柱１３１内で、反射型偏光板１３２はベース台１２１の上面１２１ａに対して４５°傾斜しており、透過型偏光板１３４はベース台１２１の上面１２１ａに対して垂設されている。
【０１８７】
また、各色光用の反射型液晶パネル１３３は、実施例１，２とは異なって、ベース台１２１の下面１２１ｂ側に取り付けられて、ベース台１２１に貫通して穿設した開口部１２１ｃを臨み、且つ、この開口部１２１ｃを上方から覆うように液晶のプレチルト分を往復で補正するための波長板１３３ａが取り付けられていると共に、反射型液晶パネル１３３を冷却するためのヒートシンク１３３ｂが反射型液晶パネル１３３の裏面に取り付けられている。尚、この実施例３では、反射型液晶パネル１３３をベース台１２１の下面１２１ｂ側に取り付けた場合を説明したが、ベース台１２１の上面１２１ａ側に取り付けることも可能であり、この場合には反射型液晶パネル１３３の裏面に取り付けたヒートシンク１３３ｂを冷却するための送風孔をベース台１２１に穿設しておけば良いものである。
【０１８８】
そして、Ｐ偏光成分のＲ光，Ｇ光，Ｂ光をＲ光用反射型液晶パネル組立体１３０Ｒ，Ｇ光用反射型液晶パネル組立体１３０Ｇ，Ｂ光用反射型液晶パネル組立体１３０Ｂにそれぞれ入射させた時に、各色光用の三角柱１３１に取り付けた各色光用の反射型偏光板１３２によりＰ偏光成分のみを透過させて各色光用の反射型液晶パネル１３３に入射させる。
【０１８９】
この後、各色光用の反射型液晶パネル１３３内でＲ光，Ｇ光，Ｂ光の各色の画像信号に応じて光変調されて反射された各光束は、それぞれ対応する各色光用の反射型偏光板１３２に戻り、ここで各色光用の反射型偏光板１３２により各色光用の反射型液晶パネル１３３で光変調されて反射された光束を偏光分離し、他方向の直線偏光成分（ここでは、Ｓ偏光成分）のみを反射した各光束を各色光用の透過型偏光板１３４を透過させた後に３色合成クロスダイクロイックプリズム１４０の各入射面１４０ａ〜１４０ｃから入射させている。尚、この実施例３では、色合成光学系として３色合成クロスダイクロイックプリズム１４０を使用しているが、実施例２で説明したような「フィリップス型プリズム」を用いることもできる。
【０１９０】
この後、３色合成クロスダイクロイックプリズム１４０の各入射面１４０ａ〜１４０ｃから入射されたＲ光，Ｇ光，Ｂ光の各色の画像光は、３色合成クロスダイクロイックプリズム１４０内に形成した第１，第２ダイクロイック膜１４０ｅ，１４０ｆによって色合成され、この３色合成クロスダイクロイックプリズム１４０で得られた色合成画像光が出射面１４０ｄから出射されて１／４波長板１４１を介して投射レンズ１４２に入射され、この投射レンズ１４２によって図示しないスクリーン上に拡大投射されて実像を結像し、色合成画像光を表示している。
【０１９１】
この投射型表示装置１００においては、前述したように、色分解光学系と色合成光学系とが上下に２層構成になっているので、上層部分の外周側において光路を引き回して色分解し、下層部分で偏光分離、空間光変調、色合成光学系及び投射レンズへと光束を導くようにしており、光学系全体を小型化しても、光路の引き回しに無理がなく、光学素子の配置に余裕がある状態となっている。
【０１９２】
ここで、実施例３では、Ｒ光用反射型液晶パネル組立体１３０Ｒ，Ｇ光用反射型液晶パネル組立体１３０Ｇ，Ｂ光用反射型液晶パネル組立体１３０Ｂ内に、Ｒ光，Ｇ光，Ｂ光をそれぞれ入射させた時に、内部を密閉した各色光用の三角柱１３１にそれぞれ取り付けて配置した反射型偏光板１３２及び反射型液晶パネル１３３並びに透過型偏光板１３４と、３色合成クロスダイクロイックプリズム１４０の各入射面１４０ａ〜１４０ｃとが光源１０１からの光によって温度上昇するので、これらの光学部材の温度上昇を避けるために、図２８（ａ），（ｂ）に示したように、ベース台１２１の下面１２１ｂ側に、空冷手段となるファン１２２が回転自在に設置されている。
【０１９３】
これに伴って、ベース台１２１には、各色光用の反射型液晶パネル組立体１３０Ｒ，１３０Ｇ，１３０Ｂと３色合成クロスダイクロイックプリズム１４０の各入射面１４０ａ〜１４０ｃとの間に形成された各隙間に対応して送風孔１２１ｄがそれぞれ貫通して穿設されている。
【０１９４】
そして、ファン１２２を回転させた時に生じた風Ｗがベース台１２１の下面１２１ｂ側からこのベース台１２１に穿設した送風孔１２１ｄを通り抜けて、ベース台１２１の上面１２１ａ側に送風されている。ここで、送風孔１２１ｄを通り抜けた風Ｗは、各色光用の三角柱１３１に取り付けた透過型偏光板１３４と３色合成クロスダイクロイックプリズム１４０の各入射面１４０ａ〜１４０ｃとの間に形成された各隙間内に送風されて、各色光用の透過型偏光板３４の表面と３色合成クロスダイクロイックプリズム１４０の各入射面１４０ａ〜１４０ｃとをそれぞれ冷却すると共に、ファン１２２からの風Ｗで各色光用の反射型液晶パネル１３３の裏面に取り付けたヒートシンク１３３ｂを冷却しているので、各色光用の反射型液晶パネル１３３及び各色光用の透過型偏光板１３４並びに３色合成クロスダイクロイックプリズム１４０の温度上昇を抑えて、発熱による劣化を防止でき、これにより高輝度化、高コントラス化が達成でき、実施例３の投射型表示装置１００への信頼性向上に寄与できる。
【０１９５】
尚更に、上記した本発明に係る実施例３の投射型表示装置１００に対して、実施例１の変形例１〜９と略同様の構成を採用することにより、実施例３の各変形例を構成することが可能であることは明らかである。また、この実施例３の変形例において、各色光の不要偏光光除去手段として、Ｒ光用に吸収型偏光板を用い、且つ、Ｇ，Ｂ光用に反射型偏光板を用いても良い。
【図面の簡単な説明】
【０１９６】
【図１】本発明に係る実施例１の投射型表示装置の構成を示した平面図である。
【図２】（ａ），（ｂ）は本発明に係る実施例１の投射型表示装置において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図３】本発明に係る実施例１の投射型表示装置において、Ｒ光用又はＧ光用もしくはＢ光用の反射型液晶パネル組立体を拡大して示した斜視図である。
【図４】（ａ）〜（ｃ）は本発明に係る実施例１の投射型表示装置において、反射型液晶パネル組立体内の反射型偏光板を説明するための図である。
【図５】本発明に係る実施例１の投射型表示装置を一部変形させた変形例１の投射型表示装置の構成を示した平面図である。
【図６】（ａ），（ｂ）は実施例１の投射型表示装置を一部変形させた変形例１において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図７】本発明に係る実施例１の投射型表示装置を一部変形させた変形例２の投射型表示装置の構成を示した平面図である。
【図８】（ａ），（ｂ）は実施例１の投射型表示装置を一部変形させた変形例２において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図９】本発明に係る実施例１の投射型表示装置を一部変形させた変形例３の投射型表示装置の構成を示した平面図である。
【図１０】（ａ），（ｂ）は実施例１の投射型表示装置を一部変形させた変形例３において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【図１１】本発明に係る実施例１の投射型表示装置を一部変形させた変形例４の投射型表示装置の構成を示した平面図である。
【図１２】（ａ），（ｂ）は実施例１の投射型表示装置を一部変形させた変形例４において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【図１３】本発明に係る実施例１の投射型表示装置を一部変形させた変形例５の投射型表示装置の構成を示した平面図である。
【図１４】（ａ），（ｂ）は実施例１の投射型表示装置を一部変形させた変形例５において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【図１５】本発明に係る実施例１の投射型表示装置を一部変形させた変形例６の投射型表示装置の構成を示した平面図である。
【図１６】（ａ），（ｂ）は実施例１の投射型表示装置を一部変形させた変形例６において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図１７】実施例１の投射型表示装置を一部変形させた変形例６において、Ｒ光用又はＧ光用もしくはＢ光用の反射型液晶パネル組立体を拡大して示した斜視図である。
【図１８】本発明に係る実施例１の投射型表示装置を一部変形させた変形例７の投射型表示装置の構成を示した平面図である。
【図１９】（ａ），（ｂ）は実施例１の投射型表示装置を一部変形させた変形例７において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図２０】本発明に係る実施例１の投射型表示装置を一部変形させた変形例８の投射型表示装置の構成を示した平面図である。
【図２１】（ａ），（ｂ）は実施例１の投射型表示装置を一部変形させた変形例８において、Ｒ，Ｇ，Ｂ光用の各反射型液晶パネル組立体及び３色合成クロスダイクロイックプリズムを示した斜視図，３色合成クロスダイクロイックプリズム及びＧ光用反射型液晶パネル組立体を示した側面図である。
【図２２】本発明に係る実施例１の投射型表示装置を一部変形させた変形例９の投射型表示装置の構成を示した平面図である。
【図２３】（ａ），（ｂ）は実施例１の投射型表示装置を一部変形させた変形例９において、Ｒ，Ｇ，Ｂ光用の各反射型液晶パネル組立体及び３色合成クロスダイクロイックプリズムを示した斜視図，Ｂ光用反射型液晶パネル組立体及び３色合成クロスダイクロイックプリズム並びにＲ光用反射型液晶パネル組立体を示した側面図である。
【図２４】本発明に係る実施例２の投射型表示装置の構成を示した平面図である。
【図２５】本発明に係る実施例２の投射型表示装置において、３色合成プリズム及びＧ光用反射型液晶パネル組立体を示した側面図である。
【図２６】本発明に係る実施例３の投射型表示装置の構成を示した斜視図である。
【図２７】本発明に係る実施例３の投射型表示装置の構成を示した平面図である。
【図２８】（ａ），（ｂ）は実施例３の投射型表示装置において、Ｒ，Ｇ，Ｂ光用の各反射型液晶パネル組立体及び３色合成クロスダイクロイックプリズムを示した斜視図，Ｒ光用反射型液晶パネル組立体及び３色合成クロスダイクロイックプリズム並びにＢ光用反射型液晶パネル組立体を示したＸ−Ｘ断面図である。
【図２９】従来例の投射型表示装置を示した構成図である。
【図３０】従来例の投射型表示装置において、冷却用のファンの配置を示した側面図である。
【図３１】従来例の投射型表示装置において、偏光子及び液晶パネルを冷却する状態を示した斜視図である。
【符号の説明】
【０１９７】
１０…実施例１の投射型表示装置、
１０Ａ…実施例１を一部変形させた変形例１の投射型表示装置、
１０Ｂ…実施例１を一部変形させた変形例２の投射型表示装置、
１０Ｃ…実施例１を一部変形させた変形例３の投射型表示装置、
１０Ｄ…実施例１を一部変形させた変形例４の投射型表示装置、
１０Ｅ…実施例１を一部変形させた変形例５の投射型表示装置、
１０Ｆ…実施例１を一部変形させた変形例６の投射型表示装置、
１０Ｇ…実施例１を一部変形させた変形例７の投射型表示装置、
１０Ｈ…実施例１を一部変形させた変形例８の投射型表示装置、
１０Ｉ…実施例１を一部変形させた変形例９の投射型表示装置、
１１…光源、１５…偏光変換光学素子（偏光変換プリズムアレイ）、
１７…第１のダイクロイックミラー、１９…第２のダイクロイックミラー、
２５…ベース台、２５ａ…上面、２５ｂ…下面、２５ｃ，２５ｄ…第１，第２送風孔、  ２６…空冷手段（ファン）、
３０Ｒ，３０Ｒ’，３０Ｒ’’…Ｒ光用反射型液晶パネル組立体、
３０Ｇ，３０Ｇ’，３０Ｇ’’…Ｇ光用反射型液晶パネル組立体、
３０Ｂ，３０Ｂ’，３０Ｂ’’…Ｂ光用反射型液晶パネル組立体、
３１…三角柱、３１ａ…第１面、３１ｂ…第２面、３１ｃ…第３面、
３１ｄ…下面、３１ｅ…上面、
３２…反射型偏光板（ワイヤグリッド偏光子）、
３３…反射型空間光変調素子（反射型液晶パネル）、
３３ａ…波長板、３３ｂ…ヒートシンク、
３４…不要偏光光除去手段（透過型偏光板）、
３５…不要偏光光除去手段（反射型偏光板）、
３６…透明ガラス板、３７…不要偏光光除去手段（透過型偏光板）、
４０…３色合成クロスダイクロイックプリズム、
４０ａ〜４０ｃ…入射面、４０ｄ…出射面、
４２…投射レンズ、
４３…台形柱、
４５Ｒ，４５Ｒ’，４５Ｒ’’…Ｒ光用反射型液晶パネル組立体、
４５Ｇ，４５Ｇ’，４５Ｇ’’…Ｇ光用反射型液晶パネル組立体、
４５Ｂ，４５Ｂ’，４５Ｂ’’…Ｂ光用反射型液晶パネル組立体、
４６…三角柱、４６ａ…第１面、４６ｂ…第２面、４６ｃ…第３面、
４６ｄ…下面、４６ｅ…上面、
５０…実施例２の投射型表示装置、
５１…光源、５５…偏光変換光学素子（偏光変換プリズムアレイ）、
５８…第１のダイクロイックミラー、６０…第２のダイクロイックミラー、
７０…ベース台、７０ａ…上面、７０ｂ…下面、７０ｃ，７０ｄ…第１，第２送風孔、  ７１…空冷手段（ファン）、
８０Ｒ…Ｒ光用反射型液晶パネル組立体、
８０Ｇ…Ｇ光用反射型液晶パネル組立体、
８０Ｂ…Ｂ光用反射型液晶パネル組立体、
８１…三角柱、８２…反射型偏光板（ワイヤグリッド偏光子）、
８３…反射型空間光変調素子（反射型液晶パネル）、
８３ａ…波長板、８３ｂ…ヒートシンク、
８４…不要偏光光除去手段（透過型偏光板）、
９０…３色合成プリズム、９０ａ〜９０ｃ…第１〜第３プリズム、
９２…投射レンズ、
１００…実施例３の投射型表示装置、
１０１…光源、１０５…偏光変換光学素子（偏光変換プリズムアレイ）、
１０８…第１のダイクロイックミラー、１１２…第２のダイクロイックミラー、
１２１…ベース台、１２１ａ…上面、１２１ｂ…下面、
１２１ｃ…開口部、１２１ｄ…送風孔、
１２２…空冷手段（ファン）、
１３０Ｒ…Ｒ光用反射型液晶パネル組立体、
１３０Ｇ…Ｇ光用反射型液晶パネル組立体、
１３０Ｂ…Ｂ光用反射型液晶パネル組立体、
１３１…三角柱、１３２…反射型偏光板（ワイヤグリッド偏光子）、
１３３…反射型空間光変調素子（反射型液晶パネル）、
１３３ａ…波長板、１３３ｂ…ヒートシンク、
１３４…不要偏光光除去手段（透過型偏光板）、
１４０…３色合成クロスダイクロイックプリズム、
１４０ａ〜１４０ｃ…入射面、１４０ｄ…出射面、
１４２…投射レンズ、
Ｗ…風。
【図１】
2006209061.tif 000003
【図２】
2006209061.tif 000004
【図３】
2006209061.tif 000005
【図４】
2006209061.tif 000006
【図５】
2006209061.tif 000007
【図６】
2006209061.tif 000008
【図７】
2006209061.tif 000009
【図８】
2006209061.tif 000010
【図９】
2006209061.tif 000011
【図１０】
2006209061.tif 000012
【図１１】
2006209061.tif 000013
【図１２】
2006209061.tif 000014
【図１３】
2006209061.tif 000015
【図１４】
2006209061.tif 000016
【図１５】
2006209061.tif 000017
【図１６】
2006209061.tif 000018
【図１７】
2006209061.tif 000019
【図１８】
2006209061.tif 000020
【図１９】
2006209061.tif 000021
【図２０】
2006209061.tif 000022
【図２１】
2006209061.tif 000023
【図２２】
2006209061.tif 000024
【図２３】
2006209061.tif 000025
【図２４】
2006209061.tif 000026
【図２５】
2006209061.tif 000027
【図２６】
2006209061.tif 000028
【図２７】
2006209061.tif 000029
【図２８】
2006209061.tif 000030
【図２９】
2006209061.tif 000031
【図３０】
2006209061.tif 000032
【図３１】
2006209061.tif 000033